(57)【要約】本発明はランダムアクセスシグナリング再送信方法及び装置を提供し、該方法は、第一の条件を満たしている場合で、第二のタイプのノードがランダムアクセスシグナリングＭｓｇｌを再送信することにより、ユーザ端末がＬＴＥ／ＬＴＥ−Ａシステムにアクセスするアクセス品質が高くないという問題を解決し、ユーザ端末がＬＴＥ／ＬＴＥ−Ａシステムにアクセスするアクセス品質を向上させる。【選択図】図１
2018511276.tif 000002
【特許請求の範囲】
【請求項１】
ランダムアクセスシグナリング再送信方法であって、
第一の条件を満たしている場合で、第二のタイプのノードがランダムアクセスシグナリングＭｓｇｌを再送信することを含み、前記第一の条件は、
前記第二のタイプのノードによるランダムアクセス応答メッセージＭｓｇ２の復号が成功しないこと、
前記第二のタイプのノードによるランダムアクセス応答メッセージＭｓｇ２の復号が成功し、復号された前記ランダムアクセス応答メッセージＭｓｇ２に前記第二のタイプのノードへ送信されたランダムアクセス応答情報がないこと、
前記第一のタイプのノードによるＭｓｇ３メッセージの復号が成功しないこと、
前記第一のタイプのノードによるＭｓｇ３メッセージの復号が成功し、且つＭｓｇ４メッセージを前記第二のタイプのノードに送信し、前記第二のタイプのノードによるＭｓｇ４メッセージの復号が成功しないこと、および
前記第一のタイプのノードによるＭｓｇ３メッセージの復号が成功し、且つＭｓｇ４メッセージを第二のタイプのノードに送信し、第二のタイプのノードによるＭｓｇ４メッセージの復号が成功し、前記Ｍｓｇ４メッセージが前記第二のタイプのノードに送信されないことのうちの少なくとも一つを含む、ランダムアクセスシグナリング再送信方法。
【請求項２】
前記第一の条件が、前記第二のタイプのノードによるランダムアクセス応答メッセージＭｓｇ２の復号が成功せず、且つ前記ランダムアクセス応答メッセージＭｓｇ２が第一のタイプのランダムアクセス応答メッセージＭｓｇ２に属することである場合、前記第二のタイプのノードは、
再送信されたランダムアクセスシグナリングＭｓｇ１の再送信回数が前記第二のタイプのノードのレベル情報によって確定されること、
前記第二のタイプのノードのレベル情報が変化しない場合、再送信されるランダムアクセスシグナリングＭｓｇ１の再送信回数が前回の送信した場合の再送信回数と同じであること、
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さい場合、前記第二のタイプのノードがランダムアクセスシグナリングＭｓｇ１を送信する方式が、前記第二のタイプのノードがレベルｉに対応するランダムアクセスシグナリングＭｓｇ１の再送信回数を使用し続けてランダムアクセスシグナリングＭｓｇ１を再送信すること、前記第二のタイプのノードが前記ランダムアクセスシグナリングＭｓｇ１を再送信するための送信電力を向上すること、および前記第二のタイプのノードがランダムアクセスシグナリングＭｓｇ１を再送信する送信時間指示情報がＫ１とすることのうちの少なくとも一つを含むこと、
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ前記第二のタイプのノードが前記ランダムアクセスシグナリングＭｓｇ１の送信電力を向上できない場合、前記第二のタイプのノードがランダムアクセスシグナリングＭｓｇ１を再送信する方式が、前記第二のタイプのノードがレベルｉに対応するランダムアクセスシグナリングＭｓｇ１の再送信回数を使用し続けてランダムアクセスシグナリングＭｓｇ１を再送信すること、および前記第二のタイプのノードがランダムアクセスシグナリングＭｓｇ１を再送信する送信時間指示情報がＫ２とすることのうちの少なくとも一つを含むこと、
前記第二のタイプのノードの現在のレベルがｉであり、且つ前記第二のタイプのノードが前記ランダムアクセスシグナリングＭｓｇ１の送信電力を向上できない場合、Ｎｉ＝１とすること、および
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、前記第二のタイプのノードがランダムアクセスシグナリングＭｓｇ１を再送信する方式が、前記第二のタイプのノードがレベルｉの次のレベルに対応するランダムアクセスシグナリングＭｓｇ１の再送信回数を使用してランダムアクセスシグナリングＭｓｇ１を再送信すること、および前記第二のタイプのノードがランダムアクセスシグナリングＭｓｇ１を再送信する送信時間指示情報がＫ０とすることのうちの少なくとも一つを含むこと、
の少なくとも一つに従ってランダムアクセスシグナリングＭｓｇ１を再送信し、
前記ランダムアクセスシグナリングＭｓｇ１を再送信する送信時間指示情報は、ランダムアクセスシグナリングＭｓｇ１の再送信と前回のランダムアクセス応答メッセージＭｓｇ２の検出ウィンドウ終了時点との間の時間間隔を意味し、
前記第一のタイプのランダムアクセス応答メッセージＭｓｇ２は、前記ランダムアクセス応答メッセージＭｓｇ２に同じレベルの前記第二のタイプのノードのランダムアクセス応答情報が含まれることを意味することを特徴とする
請求項１に記載の方法。
【請求項３】
前記Ｋ0、前記Ｋ１および前記Ｋ２の間が、Ｋ０≦Ｋ１≦Ｋ２を満たしていることを含むことを特徴とする
請求項２に記載の方法。
【請求項４】
前記レベルｉに対応するランダムアクセスシグナリングＭｓｇ１の送信回数の上限Ｎｉが前記第一のタイプのノードによって設定されること、および異なるレベルに対応するＮｉ値が異なることを含むことを特徴とする
請求項２に記載の方法。
【請求項５】
前記第一の条件が、第二のタイプのノードによるランダムアクセス応答メッセージＭｓｇ２の復号が成功したが、前記第二のタイプのノードへ送信されたランダムアクセス応答メッセージがなく、且つ前記ランダムアクセス応答メッセージＭｓｇ２が第一のタイプのランダムアクセス応答メッセージＭｓｇ２に属することである場合、第二のタイプのノードは、
再送信されたランダムアクセスシグナリングＭｓｇ１の再送信回数が前記第二のタイプのノードのレベル情報によって確定されること、
前記第二のタイプのノードのレベル情報が変化しない場合、再送信されたランダムアクセスシグナリングＭｓｇ１の再送信回数が前回の送信する場合の再送信回数と同じであること、
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さい場合、前記第二のタイプのノードがランダムアクセスシグナリングＭｓｇ１を再送信する方式が、前記第二のタイプのノードがレベルｉに対応するランダムアクセスシグナリングＭｓｇ1の再送信回数を使用し続けてランダムアクセスシグナリングＭｓｇ1を再送信し、前記第二のタイプのノードが前記ランダムアクセスシグナリングＭｓｇ１を再送信するための送信電力を向上すること、および前記第二のタイプのノードがランダムアクセスシグナリングＭｓｇ１を再送信する送信時間指示情報がＭ１とすることのうちの少なくとも一つを含むこと、
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ前記第二のタイプのノードが前記ランダムアクセスシグナリングＭｓｇ１の送信電力を向上できない場合、前記第二のタイプのノードがランダムアクセスシグナリングＭｓｇ１を再送信する方式が、前記第二のタイプのノードがレベルｉに対応するランダムアクセスシグナリングＭｓｇ１の再送信回数を使用し続けてランダムアクセスシグナリングＭｓｇ１を再送信すること、および前記第二のタイプのノードがランダムアクセスシグナリングＭｓｇ１を再送信する送信時間指示情報がＭ２とすることのうちの少なくとも一つを含むこと、および
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、前記第二のタイプのノードがランダムアクセスシグナリングＭｓｇ１を再送信する方式が、前記第二のタイプのノードがレベルｉの次のレベルに対応するランダムアクセスシグナリングＭｓｇ１の再送信回数を使用してランダムアクセスシグナリングを再送信すること、および前記第二のタイプのノードがランダムアクセスシグナリングＭｓｇ１を再送信する送信時間指示情報がＭ０とすることのうちの少なくとも一つを含むこと、
の少なくとも一つに従ってランダムアクセスシグナリングＭｓｇ１を再送信し、
前記第一のタイプのランダムアクセス応答メッセージは、ランダムアクセス応答メッセージに同じレベルの前記第二のタイプのノードのランダムアクセス応答情報のみが含まれることを意味し、
前記ランダムアクセスシグナリングＭｓｇ１を再送信する送信時間指示情報は、ランダムアクセスシグナリングＭｓｇ１の再送信と前回のランダムアクセス応答メッセージＭｓｇ２の検出ウィンドウ終了時点との間の時間間隔を意味することを特徴とする
請求項３に記載の方法。
【請求項６】
前記Ｍ０、前記Ｍ１および前記Ｍ２の間が、Ｍ０≦Ｍ１≦Ｍ２を満たすことを含むことを特徴とする
請求項５に記載の方法。
【請求項７】
前記レベルｉに対応するランダムアクセスシグナリングＭｓｇ１の送信回数の上限Ｎｉが前記第一のタイプのノードによって設定されること、および異なるレベルに対応するＮｉ値が異なることを含むことを特徴とする
請求項５に記載の方法。
【請求項８】
前記Ｋ０、前記Ｋ１、前記Ｋ２、前記Ｍ０、前記Ｍ１および前記Ｍ２の間が、Ｋ０≦Ｍ０、Ｋ１≦Ｍ１、およびＫ２≦Ｍ２のうちの少なくとも１つを満たすことを含むことを特徴とする
請求項６に記載の方法。
【請求項９】
前記第一の条件が、前記第二のタイプのノードによるランダムアクセス応答メッセージＭｓｇ２の復号が成功せず、且つ前記第二のタイプのノードが本レベルのランダムアクセス応答メッセージＭｓｇ２のみを復号し、且つ前記ランダムアクセス応答メッセージＭｓｇ２が第二のタイプのランダムアクセス応答メッセージＭｓｇ２に属することである場合、前記第二のタイプのノードは、
再送信されたランダムアクセスシグナリングＭｓｇ１の再送信回数が前記第二のタイプのノードのレベル情報によって確定されること、
前記第二のタイプのノードのレベル情報が変化しない場合、再送信されたランダムアクセスシグナリングＭｓｇ１の再送信回数が前回の送信する場合の再送信回数と同じであること、
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さい場合、前記第二のタイプのノードがランダムアクセスシグナリングＭｓｇ１を再送信する方式が、前記第二のタイプのノードがレベルｉに対応するランダムアクセスシグナリングＭｓｇ１の再送信回数を使用し続けてランダムアクセスシグナリングＭｓｇ１を再送信すること、前記第二のタイプのノードが前記ランダムアクセスシグナリングＭｓｇ１を再送信するための送信電力を向上すること、および前記第二のタイプのノードがランダムアクセスシグナリングＭｓｇ１を再送信する送信時間指示情報がＰ(ｉ)_１とし、ｉが前記レベルインデックスであり、レベルｉに対応することのうちの少なくとも一つを含むこと、
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ前記第二のタイプのノードが前記ランダムアクセスシグナリングＭｓｇ１の送信電力を向上できない場合、前記第二のタイプのノードがランダムアクセスシグナリングＭｓｇ１を再送信する方式が、前記第二のタイプのノードがレベルｉに対応するランダムアクセスシグナリングＭｓｇ１の再送信回数を使用し続けてランダムアクセスシグナリングＭｓｇ１を再送信すること、および前記第二のタイプのノードがランダムアクセスシグナリングＭｓｇ１を再送信する送信時間指示情報がＰ(ｉ)_２とすることのうちの少なくとも一つを含むこと、および
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、前記第二のタイプのノードがランダムアクセスシグナリングＭｓｇ１を再送信する方式が、前記第二のタイプのノードがレベルｉの次のレベルに対応するランダムアクセスシグナリングＭｓｇ１の再送信回数を使用してランダムアクセスシグナリングＭｓｇ１を再送信すること、および前記第二のタイプのノードがランダムアクセスシグナリングＭｓｇ１を再送信する送信時間指示情報がＰ(ｉ)_０とすることのうちの少なくとも一つを含むこと、
の少なくとも一つに従ってランダムアクセスシグナリングＭｓｇ１を再送信し、
前記第二のタイプのランダムアクセス応答メッセージＭｓｇ２は、ランダムアクセス応答メッセージＭｓｇ２に一つ又は複数のレベルの前記第二のタイプのノードのランダムアクセス応答情報のみが含まれることを意味し、
前記ランダムアクセスシグナリングＭｓｇ１を再送信する送信時間指示情報は、ランダムアクセスシグナリングＭｓｇ1の再送信と前回のランダムアクセス応答メッセージＭｓｇ２の検出ウィンドウ終了時点との間の時間間隔を意味することを特徴とする
請求項１に記載の方法。
【請求項１０】
前記Ｐ(ｉ)_０、前記Ｐ(ｉ)_１および前記Ｐ(ｉ)_２の間が、Ｐ(ｉ)_０≦Ｐ(ｉ)_１≦Ｐ(ｉ)_２を満たすことを含むことを特徴とする
請求項９に記載の方法。
【請求項１１】
前記レベルｉに対応するランダムアクセスシグナリングＭｓｇ１の送信回数の上限Ｎｉが前記第一のタイプのノードによって設定されること、および異なるレベルに対応するＮｉ値が異なることを含むことを特徴とする
請求項９に記載の方法。
【請求項１２】
前記第一の条件が、第二のタイプのノードによる前記第二のタイプのノードレベルのランダムアクセス応答メッセージＭｓｇ２の復号が成功せず、第二のタイプのノードによる前記第二のタイプのノードのレベルより高いランダムアクセス応答メッセージＭｓｇ２の復号が成功せず、且つ前記ランダムアクセス応答メッセージＭｓｇ２が第二のタイプのランダムアクセス応答メッセージＭｓｇ２に属することである場合、第二のタイプのノードは、
再送信されたランダムアクセスシグナリングの再送信回数が前記第二のタイプのノードにより選択された新しいレベル情報によって確定されること、
前記新しいレベルが第二のタイプのノードにより復号されたランダムアクセス応答メッセージＭｓｇ２の最高レベルの次のレベルであること、
前記第二のタイプにより復号されたランダムアクセス応答メッセージＭｓｇ２の最高レベルのインデックス情報が、前記第一のタイプのノードによって前記第二のタイプのノードに送信されること、
前記第二のタイプのランダムアクセス応答メッセージＭｓｇ２が、ランダムアクセス応答メッセージＭｓｇ２に一つ又は複数のレベルの前記第二のタイプのノードのランダムアクセス応答情報のみが含まれることを意味すること、
の少なくとも一つに従ってランダムアクセスシグナリングＭｓｇ1を再送信することを特徴とする
請求項１に記載の方法。
【請求項１３】
前記第一の条件が、第二のタイプのノードによる前記第二のタイプのノードレベルのランダムアクセス応答メッセージＭｓｇ２の復号が成功せず、前記第二のタイプのノードによる前記第二のタイプのノードレベルより高いランダムアクセス応答メッセージＭｓｇ２の復号が成功し、且つ前記ランダムアクセス応答メッセージＭｓｇ２が第二のタイプのランダムアクセス応答メッセージＭｓｇ２に属することである場合、前記第二のタイプのノードは、
再送信されたランダムアクセスシグナリングＭｓｇ１の再送信回数が前記第二のタイプのノードにより選択された新しいレベル情報によって確定され、前記新しいレベルが、第二のタイプのノードによるランダムアクセス応答メッセージＭｓｇ２の復号の成功に対応するレベルであること、
前記第二のタイプのランダムアクセス応答メッセージＭｓｇ２が、ランダムアクセス応答メッセージＭｓｇ２に一つ又は複数のレベルの前記第二のタイプのノードのランダムアクセス応答情報のみが含まれることを意味すること、
の少なくとも一つに従ってランダムアクセスシグナリングＭｓｇ１を再送信することを特徴とする
請求項１に記載の方法。
【請求項１４】
前記第一の条件が、第一のタイプのノードによるＭｓｇ３メッセージの復号が成功し、且つＭｓｇ４メッセージを第二のタイプのノードに送信し、第二のタイプのノードによるＭｓｇ４メッセージの復号が成功しないことである場合、第二のタイプのノードは、
再送信されたランダムアクセスシグナリングＭｓｇ１の再送信回数が前記第二のタイプのノードに記述されたレベル情報によって確定されること、
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ前記第二のタイプのノードが前記ランダムアクセスシグナリングＭｓｇ１の送信電力を向上できる場合、前記ランダムアクセスシグナリングの送信電力を向上させないこと、および
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、前記第二のタイプのノードがレベルｉの次のレベルに対応するランダムアクセスシグナリングＭｓｇ１の再送信回数を使用してランダムアクセスシグナリングＭｓｇ１を再送信すること、
の少なくとも一つに従ってランダムアクセスシグナリングＭｓｇ１を再送信することを特徴とする
請求項１に記載の方法。
【請求項１５】
前記第二のタイプのノードがＭｓｇ３で、
Ｍｓｇ４の再送信回数を増加するように第一のタイプのノードに指示するための指示情報、
第一のタイプのノードによるＭｓｇ４の再送信回数の増分情報、および
第一のタイプのノードによるＭｓｇ４の再送信回数、
の少なくとも一つの情報を送信することを特徴とする
請求項１４に記載の方法。
【請求項１６】
前記レベルｉに対応するランダムアクセスシグナリングＭｓｇ１の送信回数の上限Ｎｉが前記第一のタイプのノードによって設定されること、および異なるレベルに対応するＮｉ値が異なることを含むことを特徴とする
請求項１４に記載の方法。
【請求項１７】
前記第一の条件が、第一のタイプのノードによるＭｓｇ３メッセージの復号が成功し、且つＭｓｇ４メッセージを第二のタイプのノードに送信し、第二のタイプのノードによるＭｓｇ４メッセージの復号が成功し、前記第二のタイプのノードに送信しないことである場合、前記第二のタイプのノードは、ランダムアクセスシグナリングＭｓｇ１を再送信するために、
再送信されたランダムアクセスシグナリングＭｓｇ１の再送信回数が前記第二のタイプのノードに記述されるレベル情報によって確定されること、
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の再送信回数の上限Ｎｉより小さく、且つ前記第二のタイプのノードが前記ランダムアクセスシグナリングの送信電力を向上できる場合、前記ランダムアクセスシグナリングの送信電力を向上させないこと、および
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、前記第二のタイプのノードがレベルｉの次のレベルに対応するランダムアクセスシグナリングＭｓｇ１の再送信回数を使用してランダムアクセスシグナリングＭｓｇ１を再送信すること、
の少なくとも一つに従って実行する必要があることを特徴とする
請求項１に記載の方法。
【請求項１８】
前記レベルｉに対応するランダムアクセスシグナリングＭｓｇ１の送信回数の上限Ｎｉが前記第一のタイプのノードによって設定されること、および異なるレベルに対応するＮｉ値が異なることを含むことを特徴とする
請求項１７に記載の方法。
【請求項１９】
前記第一の条件が、第一のタイプのノードによるＭｓｇ３メッセージの復号が成功しないことである場合、第二のタイプのノードは、
再送信されたランダムアクセスシグナリングＭｓｇ１の再送信回数が前記第二のタイプのノードに記述されるレベル情報によって確定されること、および
前記第二のタイプのノードがレベルｉに対応するランダムアクセスシグナリングＭｓｇ１の再送信回数を使用してＭｓｇ１を再送信し、前記第一のタイプのノードによるＭｓｇ３メッセージの復号が成功できない場合、前記第二のタイプのノードがレベルｉの次のレベルに対応するランダムアクセスシグナリングＭｓｇ１の再送信回数を使用してＭｓｇ１を再送信し、ここで、前記第二のタイプのノードの現在のレベルがレベルｉであり、前記第二のタイプのノードがレベルｉにおいて再送信したランダムアクセスシグナリングＭｓｇ１の送信回数の上限がＮｉであること、
の少なくとも一つに従ってランダムアクセスシグナリングＭｓｇ１を再送信することを特徴とする
請求項１に記載の方法。
【請求項２０】
第二のタイプのノードのレベルは、
カバレッジ強化レベル、
ＰＲＡＣＨチャネルカバレッジ強化レベル、および
ＰＲＡＣＨチャネル再送信レベル、
のうちの少なくとも一つを含むことを特徴とする
請求項２〜１９のいずれか１項に記載の方法。
【請求項２１】
前記第一のノードは、
マクロセル（Ｍａｃｒｏｃｅｌｌ）基地局、マイクロセル（Ｍｉｃｒｏｃｅｌｌ）基地局、ピコセル（Ｐｉｃｏｃｅｌｌ）基地局、フェムトセル（Ｆｅｍｔｏｃｅｌｌ）基地局、ホーム基地局、低電力ノード（ＬＰＮ）及びリレー（Ｒｅｌａｙ）の少なくとも一つであり、
前記第二のタイプのノードは、一つ又は複数のヒューマンツーヒューマン（Ｈ２Ｈ）通信端末、一つ又は複数のマシンツーマシン（Ｍ２Ｍ）通信端末、および一つ又は複数のデバイスツーデバイス（Ｄ２Ｄ）通信端末の少なくとも一つを含むことを特徴とする
請求項１〜２０のいずれか１項に記載の方法。
【請求項２２】
ランダムアクセスシグナリング再送信装置であって、
第一の条件を満たしているかどうかを検出するように構成され、前記第一の条件が、
前記第二のタイプのノードによるランダムアクセス応答メッセージＭｓｇ２の復号が成功しないこと、
前記第二のタイプのノードによるランダムアクセス応答メッセージＭｓｇ２の復号が成功し、復号された前記ランダムアクセス応答メッセージＭｓｇ２に前記第二のタイプのノードへ送信されたランダムアクセス応答情報がないこと、
前記第一のタイプのノードによるＭｓｇ３メッセージの復号が成功しないこと、
前記第一のタイプのノードによるＭｓｇ３メッセージの復号が成功し、且つＭｓｇ４を前記第二のタイプのノードに送信し、前記第二のタイプのノードによるＭｓｇ４メッセージの復号が成功しないこと、
前記第一のタイプのノードによるＭｓｇ３メッセージの復号が成功し、且つＭｓｇ４を第二のタイプのノードに送信し、第二のタイプのノードによるＭｓｇ４メッセージの復号が成功し、前記Ｍｓｇ４メッセージが前記第二のタイプのノードに送信されないことのうちの少なくとも一つを含む検出モジュールと、
前記第一の条件を満たしている場合で、第二のタイプのノードがランダムアクセスシグナリングＭｓｇ１を再送信するように構成される送信モジュールとを含む、ランダムアクセスシグナリング再送信装置。
【請求項２３】
前記第一の条件が、前記第二のタイプのノードによるランダムアクセス応答メッセージＭｓｇ２の復号が成功せず、且つ前記ランダムアクセス応答メッセージＭｓｇ２が第一のタイプのランダムアクセス応答メッセージＭｓｇ２に属することである場合、前記送信モジュールは、
再送信されたランダムアクセスシグナリングＭｓｇ１の再送信回数が前記第二のタイプのノードのレベル情報によって確定されること、
前記第二のタイプのノードのレベル情報が変化しない場合、再送信されたランダムアクセスシグナリングＭｓｇ１の再送信回数が前回の送信する場合の再送信回数と同じであること、
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さい場合、前記第二のタイプのノードがランダムアクセスシグナリングＭｓｇ１を再送信する方式が、前記第二のタイプのノードがレベルｉに対応するランダムアクセスシグナリングＭｓｇ1の再送信回数を使用し続けてランダムアクセスシグナリングＭｓｇ1を再送信すること、前記第二のタイプのノードが前記ランダムアクセスシグナリングＭｓｇ１を再送信するための送信電力を向上すること、および前記第二のタイプのノードがランダムアクセスシグナリングＭｓｇ１を再送信する送信時間指示情報がＫ１とすることのうちの少なくとも一つを含むこと、
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ前記第二のタイプのノードが前記ランダムアクセスシグナリングＭｓｇ１の送信電力を向上できない場合、前記第二のタイプのノードがランダムアクセスシグナリングＭｓｇ１を再送信する方式が、前記第二のタイプのノードがレベルｉに対応するランダムアクセスシグナリングＭｓｇ１の再送信回数を使用し続けてランダムアクセスシグナリングＭｓｇ１を再送信すること、および前記第二のタイプのノードがランダムアクセスシグナリングＭｓｇ１を再送信する送信時間指示情報がＫ２とすることのうちの少なくとも一つを含むこと、
前記第二のタイプのノードの現在のレベルがレベルｉであり、且つ前記第二のタイプのノードが前記ランダムアクセスシグナリングＭｓｇ１の送信電力を向上できない場合、前記Ｎｉ＝１とすること、および
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、前記第二のタイプのノードがランダムアクセスシグナリングＭｓｇ１を再送信する方式が、前記第二のタイプのノードがレベルｉの次のレベルに対応するランダムアクセスシグナリングＭｓｇ１の再送信回数を使用してランダムアクセスシグナリングを再送信すること、および前記第二のタイプのノードがランダムアクセスシグナリングＭｓｇ１を再送信する送信時間指示情報がＫ０とすることのうちの少なくとも一つを含むこと、
の少なくとも一つに従ってランダムアクセスシグナリングＭｓｇ１を再送信し、
前記再送信されたランダムアクセスシグナリングＭｓｇ１を再送信する送信時間指示情報は、ランダムアクセスシグナリングＭｓｇ１の再送信と前回のランダムアクセス応答メッセージＭｓｇ２の検出ウィンドウ終了時点との間の時間間隔を意味し、
前記第一のタイプのランダムアクセス応答メッセージＭｓｇ２は、前記ランダムアクセス応答メッセージＭｓｇ２に同じレベルの前記第二のタイプのノードのランダムアクセス応答情報が含まれることを意味することを特徴とする
請求項２２に記載の装置。
【請求項２４】
前記Ｋ０、前記Ｋ１および前記Ｋ２の間が、Ｋ０≦Ｋ１≦Ｋ２を満たすことを含むことを特徴とする
請求項２３に記載の装置。
【請求項２５】
前記レベルｉに対応するランダムアクセスシグナリングＭｓｇ１の送信回数の上限Ｎｉが前記第一のタイプのノードによって設定されること、および異なるレベルに対応するＮｉ値が異なることを含むことを特徴とする
請求項２３に記載の装置。
【請求項２６】
前記第一の条件が、第二のタイプのノードによるランダムアクセス応答メッセージＭｓｇ２の復号が成功したが、前記第二のタイプのノードへ送信されたランダムアクセス応答情報がなく、且つ前記ランダムアクセス応答メッセージＭｓｇ２が第一のタイプのランダムアクセス応答メッセージＭｓｇ２に属することである場合、前記送信モジュールは、
再送信されたランダムアクセスシグナリングＭｓｇ１の再送信回数が前記第二のタイプのノードのレベル情報によって確定されること、
前記第二のタイプのノードのレベル情報が変化しない場合、再送信されたランダムアクセスシグナリングＭｓｇ１の再送信回数が前回の送信する場合の再送信回数と同じであること、
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さい場合、前記第二のタイプのノードがランダムアクセスシグナリングＭｓｇ１を再送信する方式が、前記第二のタイプのノードがレベルｉに対応するランダムアクセスシグナリングＭｓｇ１の再送信回数を使用し続けてランダムアクセスシグナリングＭｓｇ１を再送信し、前記第二のタイプのノードが前記ランダムアクセスシグナリングＭｓｇ１を再送信するための送信電力を向上すること、および前記第二のタイプのノードがランダムアクセスシグナリングＭｓｇ１を再送信する送信時間指示情報がＭ１とすることのうちの少なくとも一つを含むこと、
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ前記第二のタイプのノードが前記ランダムアクセスシグナリングＭｓｇ１の送信電力を向上できない場合、前記第二のタイプのノードがランダムアクセスシグナリングＭｓｇ１を再送信する方式が、前記第二のタイプのノードがレベルｉに対応するランダムアクセスシグナリングＭｓｇ１の再送信回数を使用し続けてランダムアクセスシグナリングＭｓｇ１を再送信すること、および前記第二のタイプのノードがランダムアクセスシグナリングＭｓｇ１を再送信する送信時間指示情報がＭ２とすることのうちの少なくとも一つを含むこと、および
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、前記第二のタイプのノードがランダムアクセスシグナリングＭｓｇ１を再送信する方式が、前記第二のタイプのノードがレベルｉの次のレベルに対応するランダムアクセスシグナリングＭｓｇ１の再送信回数を使用してランダムアクセスシグナリングを再送信すること、および前記第二のタイプのノードがランダムアクセスシグナリングＭｓｇ１を再送信する送信時間指示情報がＭ０とすることのうちの少なくとも一つを含むこと、
の少なくとも一つに従ってランダムアクセスシグナリングＭｓｇｌを再送信し、
前記第二のタイプのランダムアクセス応答メッセージは、ランダムアクセス応答メッセージに同じレベルの前記第二のタイプのノードのランダムアクセス応答情報のみが含まれることを意味し、
前記ランダムアクセスシグナリングＭｓｇ１を再送信する送信時間指示情報は、ランダムアクセスシグナリングの再送信と前回のランダムアクセス応答メッセージＭｓｇ２の検出ウィンドウ終了時点との間の時間間隔を意味することを特徴とする
請求項２４に記載の装置。
【請求項２７】
前記Ｍ０、前記Ｍ１および前記Ｍ２の間が、Ｍ０≦Ｍ１≦Ｍ２を満たすことを含むことを特徴とする
請求項２６に記載の装置。
【請求項２８】
前記レベルｉに対応するランダムアクセスシグナリングＭｓｇ１の送信回数の上限Ｎｉが前記第一のタイプのノードによって設定されること、および異なるレベルに対応するＮｉ値が異なることを含む特徴とする
請求項２６に記載の装置。
【請求項２９】
前記Ｋ０、前記Ｋ１、前記Ｋ２、前記Ｍ０、前記Ｍ１および前記Ｍ２の間が、Ｋ０≦Ｍ０、Ｋ１≦Ｍ１、およびＫ２≦Ｍ２のうちの少なくとも一つを満たすことを含むことを特徴とする
請求項２７に記載の装置。
【請求項３０】
前記第一の条件が、前記第二のタイプのノードによるランダムアクセス応答メッセージＭｓｇ２の復号が成功せず、且つ前記第二のタイプのノードが本レベルのランダムアクセス応答メッセージＭｓｇ２のみを復号し、且つ前記ランダムアクセス応答メッセージＭｓｇ２が第二のタイプのランダムアクセス応答メッセージＭｓｇ２に属することである場合、前記送信モジュールは、
再送信されたランダムアクセスシグナリングＭｓｇ１の再送信回数が前記第二のタイプのノードのレベル情報によって確定されること、
前記第二のタイプのノードのレベル情報が変化しない場合、再送信されたランダムアクセスシグナリングＭｓｇ１の再送信回数が前回の送信する場合の再送信回数と同じであること、
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さい場合、前記第二のタイプのノードがランダムアクセスシグナリングＭｓｇ１を再送信する方式が、前記第二のタイプのノードがレベルｉに対応するランダムアクセスシグナリングＭｓｇ１の再送信回数を使用し続けてランダムアクセスシグナリングＭｓｇ１を再送信すること、前記第二のタイプのノードが前記ランダムアクセスシグナリングＭｓｇ１を再送信するための送信電力を向上すること、および前記第二のタイプのノードがランダムアクセスシグナリングＭｓｇ１を再送信する送信時間指示情報がＰ(ｉ)_１とし、ｉが前記レベルインデックスであり、レベルｉに対応することのうちの少なくとも一つを含むこと、
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ前記第二のタイプのノードが前記ランダムアクセスシグナリングＭｓｇ１の送信電力を向上できない場合、前記第二のタイプのノードがランダムアクセスシグナリングＭｓｇ１を再送信する方式が、前記第二のタイプのノードがレベルｉに対応するランダムアクセスシグナリングＭｓｇ１の再送信回数を使用し続けてランダムアクセスシグナリングＭｓｇ１を再送信すること、および前記第二のタイプのノードがランダムアクセスシグナリングＭｓｇ１を再送信する送信時間指示情報がＰ(ｉ)_２とすることのうちの少なくとも一つを含むこと、および
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、前記第二のタイプのノードがランダムアクセスシグナリングＭｓｇ１を再送信する方式が、前記第二のタイプのノードがレベルｉの次のレベルに対応するランダムアクセスシグナリングＭｓｇ１の再送信回数を使用してランダムアクセスシグナリングＭｓｇ１を再送信すること、および前記第二のタイプのノードがランダムアクセスシグナリングＭｓｇ１を再送信する送信時間指示情報がＰ(ｉ)_０とすることのうちの少なくとも一つを含むこと、
の少なくとも一つに従ってランダムアクセスシグナリングＭｓｇ１を再送信し、
前記第二のタイプのランダムアクセス応答メッセージＭｓｇ２は、ランダムアクセス応答メッセージＭｓｇ２に一つ又は複数のレベルの前記第二のタイプのノードのランダムアクセス応答情報のみが含まれることを意味し、
前記ランダムアクセスシグナリングＭｓｇ１を再送信する送信時間指示情報は、ランダムアクセスシグナリングＭｓｇ1の再送信と前回のランダムアクセス応答メッセージＭｓｇ２の検出ウィンドウ終了時点との間の時間間隔を意味することを特徴とする
請求項２２に記載の装置。
【請求項３１】
前記Ｐ(ｉ)_０、前記Ｐ(ｉ)_１および前記Ｐ(ｉ)_２が、Ｐ(ｉ)_０≦Ｐ(ｉ)１≦Ｐ(ｉ)_２を満たすことを含むことを特徴とする
請求項３０に記載の装置。
【請求項３２】
前記レベルｉに対応するランダムアクセスシグナリングＭｓｇ１の送信回数の上限Ｎｉが前記第一のタイプのノードによって設定されること、および異なるレベルに対応するＮｉ値が異なることを含むことを特徴とする
請求項３０に記載の装置。
【請求項３３】
前記第一の条件が、第二のタイプのノードによる前記第二のタイプのノードレベルのランダムアクセス応答メッセージＭｓｇ２の復号が成功せず、第二のタイプのノードによる前記第二のタイプのノードのレベルより高いランダムアクセス応答メッセージＭｓｇ２の復号が成功せず、且つ前記ランダムアクセス応答メッセージＭｓｇ２が第二のタイプのランダムアクセス応答メッセージＭｓｇ２に属することである場合、前記送信モジュールは、
再送信されたランダムアクセスシグナリングの再送信回数が前記第二のタイプのノードにより選択された新しいレベル情報によって確定されること、
前記新しいレベルが第二のタイプのノードにより復号されたランダムアクセス応答メッセージＭｓｇ２の最高レベルの次のレベルであること、
前記第二のタイプにより復号されたランダムアクセス応答メッセージＭｓｇ２の最高レベルのインデックス情報が前記第一のタイプのノードによって前記第二のタイプのノードに送信されること、
前記第二のタイプのランダムアクセス応答メッセージＭｓｇ２が、ランダムアクセス応答メッセージＭｓｇ２に一つ又は複数のレベルの前記第二のタイプのノードのランダムアクセス応答情報のみが含まれることを意味すること、
の少なくとも一つに従ってランダムアクセスシグナリングＭｓｇ１を再送信することを含むことを特徴とする
請求項２２に記載の装置。
【請求項３４】
前記第一の条件が、第二のタイプのノードによる前記第二のタイプのノードレベルのランダムアクセス応答メッセージＭｓｇ２の復号が成功せず、前記第二のタイプのノードによる前記第二のタイプのノードレベルより高いランダムアクセス応答メッセージＭｓｇ２の復号が成功し、且つ前記ランダムアクセス応答メッセージＭｓｇ２が第二のタイプのランダムアクセス応答メッセージＭｓｇ２に属することである場合、前記送信モジュールは、
再送信されたランダムアクセスシグナリングＭｓｇ１の再送信回数が前記第二のタイプのノードにより選択された新しいレベル情報によって確定され、ここで、前記新しいレベルが第二のタイプのノードによるランダムアクセス応答メッセージＭｓｇ２の復号の成功に対応するレベルであること、
前記第二のタイプのランダムアクセス応答メッセージＭｓｇ２が、ランダムアクセス応答メッセージＭｓｇ２に一つ又は複数のレベルの前記第二のタイプのノードのランダムアクセス応答情報のみが含まれることを意味すること、
の少なくとも一つに従ってランダムアクセスシグナリングＭｓｇ１を再送信することを特徴とする
請求項２２に記載の装置。
【請求項３５】
前記第一の条件が、第一のタイプのノードによるＭｓｇ３メッセージの復号が成功し、且つＭｓｇ４を第二のタイプのノードに送信し、第二のタイプのノードによるＭｓｇ４の復号が成功しないことである場合、前記送信モジュールは、
再送信されたランダムアクセスシグナリングＭｓｇ１の再送信回数が前記第二のタイプのノードに記述されるレベル情報によって確定されること、
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ前記第二のタイプのノードが前記ランダムアクセスシグナリングＭｓｇ１の送信電力を向上できる場合、前記ランダムアクセスシグナリングの送信電力を向上させないこと、および
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、前記第二のタイプのノードがレベルｉの次のレベルに対応するランダムアクセスシグナリングＭｓｇ１の再送信回数を使用してランダムアクセスシグナリングＭｓｇ１を再送信すること、
の少なくとも一つに従ってランダムアクセスシグナリングＭｓｇ１を再送信することを特徴とする
請求項２２に記載の装置。
【請求項３６】
前記第二のタイプのノードが、Ｍｓｇ３で、
Ｍｓｇ４の再送信回数を増加するように第一のタイプのノードに指示するための指示情報、
第一のタイプのノードによるＭｓｇ４の再送信回数の増分情報、および
第一のタイプのノードによるＭｓｇ４の再送信回数、
の少なくとも一つの情報を送信することを特徴とする
請求項３５に記載の装置。
【請求項３７】
前記レベルｉに対応するランダムアクセスシグナリングＭｓｇ１の送信回数の上限Ｎｉが前記第一のタイプのノードによって設定されること、および異なるレベルに対応するＮｉ値が異なることを含むことを特徴とする
請求項３５に記載の装置。
【請求項３８】
前記第一の条件が、第一のタイプのノードによるＭｓｇ３メッセージの復号が成功し、且つＭｓｇ４メッセージを第二のタイプのノードに送信し、第二のタイプのノードによるＭｓｇ４メッセージの復号が成功し、前記第二のタイプのノードに送信しないことである場合、前記送信モジュールは、ランダムアクセスシグナリングＭｓｇ１を再送信するために、
再送信されたランダムアクセスシグナリングＭｓｇ１の再送信回数が前記第二のタイプのノードに記述されるレベル情報によって確定されること、
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ前記第二のタイプのノードが前記ランダムアクセスシグナリングの送信電力を向上できる場合、前記ランダムアクセスシグナリングの送信電力を向上させないこと、および
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、前記第二のタイプのノードがレベルｉの次のレベルに対応するランダムアクセスシグナリングＭｓｇ１の再送信回数を使用してランダムアクセスシグナリングＭｓｇ１を再送信すること、
の少なくとも一つに従って実行する必要があることを特徴とする
請求項２２に記載の装置。
【請求項３９】
前記レベルｉに対応するランダムアクセスシグナリングＭｓｇ１の送信回数の上限Ｎｉが前記第一のタイプのノードによって設定されること、および異なるレベルに対応するＮｉ値が異なることを含むことを特徴とする
請求項３８に記載の装置。
【請求項４０】
前記第一の条件が、第一のタイプのノードによるＭｓｇ３メッセージの復号が成功しないことである場合、前記送信モジュールは、
再送信されたランダムアクセスシグナリングＭｓｇ１の再送信回数が前記第二のタイプのノードに記述されるレベル情報によって確定されること、および
前記第二のタイプのノードがレベルｉに対応するランダムアクセスシグナリングＭｓｇ１の再送信回数を使用してＭｓｇ１を再送信し、前記第一のタイプのノードによるＭｓｇ３メッセージの復号が成功できない場合、前記第二のタイプのノードがレベルｉの次のレベルに対応するランダムアクセスシグナリングＭｓｇ１の再送信回数を使用してＭｓｇ１を再送信し、ここで、前記第二のタイプのノードの現在のレベルがレベルｉであり、前記第二のタイプのノードがレベルｉにおいて再送信したランダムアクセスシグナリングＭｓｇ１の送信回数の上限がＮｉであること、
の少なくとも一つに従ってランダムアクセスシグナリングＭｓｇ１を再送信することを特徴とする
請求項２２に記載の装置。
【請求項４１】
第二のタイプのノードのレベルは、
カバレッジ強化レベル、
ＰＲＡＣＨチャネルカバレッジ強化レベル、および
ＰＲＡＣＨチャネル再送信レベルのうちの少なくとも一つを含むことを特徴とする
請求項２３〜４０のいずれか１項に記載の装置。
【請求項４２】
前記第一のノードは、
マクロセル（Ｍａｃｒｏｃｅｌｌ）基地局、マイクロセル（Ｍｉｃｒｏｃｅｌｌ）基地局、ピコセル（Ｐｉｃｏｃｅｌｌ）基地局、フェムトセル（Ｆｅｍｔｏｃｅｌｌ）基地局、ホーム基地局、低電力ノード（ＬＰＮ）及びリレー（Ｒｅｌａｙ）の少なくとも一つであり、
前記第二のタイプのノードは、一つ又は複数のヒューマンツーヒューマン（Ｈ２Ｈ）通信端末、一つ又は複数のマシンツーマシン（Ｍ２Ｍ）通信端末、および一つ又は複数のデバイスツーデバイス（Ｄ２Ｄ）通信端末の少なくとも一つを含むことを特徴とする
請求項２２〜４０のいずれか１項に記載の装置。
【発明の詳細な説明】
【技術分野】
【０００１】
本発明は通信分野に関し、具体的には、ランダムアクセスシグナリング再送信方法及び装置に関する。
【背景技術】
【０００２】
現在、マシン型通信（Ｍａｃｈｉｎｅ  Ｔｙｐｅ  Ｃｏｍｍｕｎｉｃａｔｉｏｎ：ＭＴＣと略称）ユーザ端末（ＭＴＣ  Ｕｓｅｒ  Ｅｑｕｉｐｍｅｎｔ：ＭＴＣ  ＵＥと略称）はマシンツーマシン（Ｍａｃｈｉｎｅ  ｔｏ  Ｍａｃｈｉｎｅ：Ｍ２Ｍと略称）ユーザ通信装置とも呼ばれ、この段階での物事のインターネットの主なアプリケーション形態である。低消費電力と低コストは、それが大規模に適用できる重要な保証である。現在、市販されているＭ２Ｍ装置は、主にグローバル移動通信（Ｇｌｏｂａｌ  Ｓｙｓｔｅｍ  ｏｆ  Ｍｏｂｉｌｅ  ｃｏｍｍｕｎｉｃａｔｉｏｎ：ＧＳＭ）システムに基づいている。近年、長期進化型（Ｌｏｎｇ  Ｔｅｒｍ  Ｅｖｏｌｕｔｉｏｎ：ＬＴＥと略称）／ＬＴＥ−Ａ（ＬＴＥのフォローアップ進化）のスペクトル効率が向上するため、より多くのモバイル事業者は、ＬＴＥ／ＬＴＥ−Ａを将来の広帯域無線通信システムの進化方向として選択する。ＬＴＥ／ＬＴＥ−Ａに基づくＭ２Ｍの様々なデータサービスもより魅力的になる。ＬＴＥ−Ｍ２Ｍ装置のコストがＧＳＭシステムのＭＴＣ端末より低い場合のみに、Ｍ２Ｍサービスは本当にＧＳＭからＬＴＥシステムに移行することができる。
【０００３】
関連技術において、ＭＴＣユーザ端末コストを削減するための主な代替方法は、端末受信アンテナの数を減少すること、端末のベースバンド処理帯域幅を削減すること、端末にサポートされるピークレートを下げ、半二重モードを採用することなどを含む。しかしながら、コストの削減は性能が低下することを意味し、ＬＴＥ／ＬＴＥ−Ａシステムのセルカバレッジに対するニーズが低減不可能であり、そのため低コストで配置されたＭＴＣ端末は、従来ＬＴＥ端末のカバー性能ニーズを満たすためにいくつかの措置を取る必要がある。また、ＭＴＣ端末は、地下室、コーナーなどの位置に配置される可能性があり、その存在するシーンが一般的なＬＴＥ  ＵＥより悪い。侵入損失によるカバレッジの低減を補うために、一部のＭＴＣ  ＵＥの性能をより高く向上させる必要があり、そのため、このようなシーンに対して一部のＭＴＣ  ＵＥの上り及び下りカバレッジを強化することが必要となる。どのようにユーザのアクセス品質を保証するかは、まず考慮する必要がある問題であり、ＭＴＣ  ＵＥが正常にシステムにアクセスすることを保証するために、ＬＴＥ／ＬＴＥ−Ａシステムのランダムアクセスシグナリング（Ｍｓｇｌとも呼ばれる）に対して強化設計を行う必要がある。
【０００４】
ＬＴＥ／ＬＴＥ−Ａシステムにおいてランダムアクセス応答メッセージ（Ｒａｎｄｏｍ  Ａｃｃｅｓｓ  Ｒｅｓｐｏｎｓｅ：ＲＡＲと略称し、Ｍｓｇ２とも呼ばれる）に占有された物理リソースブロック（Ｐｈｙｓｉｃａｌ  Ｒｅｓｏｕｒｃｅ  Ｂｌｏｃｋ：ＰＲＢと略称）の位置情報は、下り制御情報（Ｄｏｗｎｌｉｎｋ  Ｃｏｎｔｒｏｌ  Ｉｎｆｏｒｍａｔｉｏｎ：ＤＣＩと略称）に含まれ且つ物理下り制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨと略称）を介して送信される。また、上記ＤＣＩ情報にも１６ビットの巡回冗長検査コード（Ｃｙｃｌｉｃ  Ｒｅｄｕｎｄａｎｃｙ  Ｃｈｅｃｋ：ＣＲＣと略称）が含まれ、且つ上記ＣＲＣはさらに１６ビットのランダムアクセス無線ネットワーク一時識別子（Ｒａｎｄｏｍ  Ａｃｃｅｓｓ  Ｒａｄｉｏ  Ｎｅｔｗｏｒｋ  Ｔｅｍｐｏｒａｒｙ  Ｉｄｅｎｔｉｔｙ：ＲＡ−ＲＮＴＩと略称）を使用してスクランブルし、スクランブル方式は以下の通りである：
ｃｋ＝（ｂｋ＋ａｋ）ｍｏｄ２  ｋ＝０、１、…１５。
【０００５】
ここで、ｂｋがＣＲＣにおけるｋ＋１番目のビットであり、ａｋがＲＡ−ＲＮＴＩにおけるｋ＋１番目のビットであり、ｃｋがクランブルして生成されたｋ＋１番目のビットである。
【０００６】
ＵＥは、ＲＡＲメッセージを受信し、上りの時間同期と上りリソースを取得するが、この時にＲＡＲメッセージが他のＵＥではなくＵＥ自体に送信されることを確定できない。これは異なるＵＥが同じ時間−周波数リソースで同じランダムアクセスシーケンスを送信する可能性があるからであり、これにより、それらが同じＲＡ-ＲＮＴＩで同じＲＡＲを受信する。また、ＵＥは他のＵＥが同じリソースを使用してランダムにアクセスするかを知らない。そのためＵＥは後のＭｓｇ３メッセージとＭｓｇ４メッセージによりこのようなランダムアクセス衝突を解決する必要がある。
【０００７】
Ｍｓｇ３メッセージは上りスケジューリングに基づき且つハイブリッド自動再送要求（Ｈｙｂｒｉｄ  Ａｕｔｏｍａｔｉｃ  Ｒｅｐｅａｔ  ｒｅｑｕｅｓｔ：ＨＡＲＱと略称）メカニズムを使用してＰＵＳＣＨで伝送される第一のメッセージである。初期ランダムアクセス過程に、Ｍｓｇ３メッセージがＲＲＣ層接続リクエストメッセージ（ＲＲＣＣｏｎｎｅｃｔｉｏｎ  Ｒｅｑｕｅｓｔ）を伝送し、異なるＵＥが同じＲＡＲメッセージを受信した場合、それらは同じ上りリソースを取得するとともに、Ｍｓｇ３メッセージを送信し、異なるＵＥを区分するために、Ｍｓｇ３メッセージに異なるＵＥを区分するための一つのＵＥ固有のＩＤを搬送する。初期アクセスの場合、このＩＤはＵＥのＳ-ＴＭＳＩ（存在すれば）又はランダムに生成された一つの４０ビットの値であってもよい。
【０００８】
ＵＥはＭｓｇ３メッセージを送信した直後に競合解除タイマを起動し（その後Ｍｓｇ３メッセージを再送信するたびにこのタイマを再起動する必要があり）、ＵＥはこの時間内でｅＮｏｄｅＢから返信された衝突解決メッセージ（Ｃｏｎｔｅｎｔｉｏｎ  Ｒｅｓｏｌｕｔｉｏｎ：Ｍｓｇ４メッセージ）を監視する必要がある。
【０００９】
競合解除タイマに設定された時間内に、ＵＥはｅＮｏｄｅＢから返信されたＭｓｇ４メッセージを受信し、且つその中に搬送されたＵＥ  ＩＤが、自体がＭｓｇ３でｅＮｏｄｅＢに報告したものと一致する場合、ＵＥは自体が今回のランダムアクセス衝突に勝ち、ランダムアクセスが成功したと考え、且つＲＡＲメッセージで得られた一時Ｃ-ＲＮＴＩを自体のＣ-ＲＮＴＩに設定する。そうでない場合、ＵＥは今回のアクセスが失敗したと考え、且つランダムアクセスの再送信プロセスを新たに行う。
【００１０】
ＭＴＣ  ＵＥが正常にシステムにアクセスすることができることを保証するために、ＬＴＥ／ＬＴＥ-ＡシステムのＭｓｇ１、Ｍｓｇ２、Ｍｓｇ３とＭｓｇ４に対して強化設計を行う必要もある。
【００１１】
関連技術においてユーザ端末がＬＴＥ／ＬＴＥ-Ａシステムにアクセスするアクセス品質が高くないという問題に対して、有効な解決策が現在まで提案されていない。
【発明の概要】
【発明が解決しようとする課題】
【００１２】
関連技術においてユーザ端末がＬＴＥ／ＬＴＥ-Ａシステムにアクセスするアクセス品質が高くないという問題に対して、有効な解決策が現在まで提案されておらず、本発明は少なくとも上記問題を解決するように、ランダムアクセスシグナリング再送信方法及び装置を提供する。
【課題を解決するための手段】
【００１３】
本発明の一つの実施例によるランダムアクセスシグナリング再送信方法は、第一の条件を満たしている場合で、第二のタイプのノードがランダムアクセスシグナリングＭｓｇｌを再送信することを含み、ここで、前記第一の条件は、前記第二のタイプのノードによるランダムアクセス応答メッセージＭｓｇ２の復号が成功しないこと、前記第二のタイプのノードによるランダムアクセス応答メッセージＭｓｇ２の復号が成功し、復号された前記ランダムアクセス応答メッセージＭｓｇ２に前記第二のタイプのノードへ送信されたランダムアクセス応答情報がないこと、前記第一のタイプのノードによるＭｓｇ３メッセージの復号が成功しないこと、前記第一のタイプのノードによるＭｓｇ３メッセージの復号が成功し、且つＭｓｇ４を前記第二のタイプのノードに送信し、前記第二のタイプのノードによるＭｓｇ４メッセージの復号が成功しないこと、および前記第一のタイプのノードによるＭｓｇ３メッセージの復号が成功し、且つＭｓｇ４を第二のタイプのノードに送信し、第二のタイプのノードによるＭｓｇ４メッセージの復号が成功し、前記Ｍｓｇ４メッセージが前記第二のタイプのノードに送信されないことのうちの少なくとも一つを含む。
【００１４】
本発明の実施例において、前記第一の条件が、前記第二のタイプのノードによるランダムアクセス応答メッセージＭｓｇ２の復号が成功しないことであり、且つ前記ランダムアクセス応答メッセージＭｓｇ２が第一のタイプのランダムアクセス応答メッセージＭｓｇ２に属することである場合、前記第二のタイプのノードは、
再送信されたランダムアクセスシグナリングＭｓｇ１の再送信回数が前記第二のタイプのノードのレベル情報によって確定されること；
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さい場合、前記第二のタイプのノードがランダムアクセスシグナリングＭｓｇ１を送信する方式が、前記第二のタイプのノードがレベルｉに対応するランダムアクセスシグナリングＭｓｇ１の再送信回数を使用し続けてランダムアクセスシグナリングＭｓｇ１を再送信すること、前記第二のタイプのノードが前記ランダムアクセスシグナリングＭｓｇ１を再送信するための送信電力を向上すること、および前記第二のタイプのノードがランダムアクセスシグナリングＭｓｇ１を再送信する送信時間指示情報がＫ１とすることのうちの少なくとも一つを含むこと；
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１送信回数の上限Ｎｉより小さく、且つ前記第二のタイプのノードが前記ランダムアクセスシグナリングＭｓｇ１の送信電力を向上できない場合、前記第二のタイプのノードがランダムアクセスシグナリングＭｓｇ１を再送信する方式が、前記第二のタイプのノードがレベルｉに対応するランダムアクセスシグナリングＭｓｇ１の再送信回数を使用し続けてランダムアクセスシグナリングＭｓｇ１を再送信すること、および前記第二のタイプのノードがランダムアクセスシグナリングＭｓｇ１を再送信する送信時間指示情報がＫ２とすることのうちの少なくとも一つを含むこと；
前記第二のタイプのノードの現在のレベルがレベルｉであり、且つ前記第二のタイプのノードが前記ランダムアクセスシグナリングＭｓｇ１の送信電力を向上できない場合、前記Ｎｉ＝１とすること；および
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、前記第二のタイプのノードがランダムアクセスシグナリングＭｓｇ１を再送信する方式が、前記第二のタイプのノードがレベルｉの次のレベルに対応するランダムアクセスシグナリングＭｓｇ１の再送信回数を使用してランダムアクセスシグナリングＭｓｇ１を再送信すること、および前記第二のタイプのノードがランダムアクセスシグナリングＭｓｇ１を再送信する送信時間指示情報がＫ０とすることのうちの少なくとも一つを含むこと；
の一つに従ってランダムアクセスシグナリングＭｓｇ１を再送信し、
ここで、前記ランダムアクセスシグナリングＭｓｇ１を再送信する送信時間指示情報は、ランダムアクセスシグナリングＭｓｇ１の再送信と前回のランダムアクセス応答メッセージＭｓｇ２の検出ウィンドウ終了時点との間の時間間隔を意味し、
前記第一のタイプのランダムアクセス応答メッセージＭｓｇ２は、前記ランダムアクセス応答メッセージＭｓｇ２に同じレベルの前記第二のタイプのノードのランダムアクセス応答情報が含まれることを意味する。
【００１５】
本発明の実施例において、前記Ｋ0、前記Ｋ１および前記Ｋ２の間が、Ｋ０≦Ｋ１≦Ｋ２を満たすことを含む。
【００１６】
本発明の実施例において、前記レベルｉに対応するランダムアクセスシグナリングＭｓｇ１の送信回数の上限Ｎｉが前記第一のタイプのノードによって設定されること、および異なるレベルに対応するＮｉ値が異なることを含む。
【００１７】
本発明の実施例において、前記第一の条件が、第二のタイプのノードによるランダムアクセス応答メッセージＭｓｇ２の復号が成功したが、前記第二のタイプのノードへ送信されたランダムアクセス応答メッセージがなく、且つ前記ランダムアクセス応答メッセージＭｓｇ２が第一のタイプのランダムアクセス応答メッセージＭｓｇ２に属することである場合、第二のタイプのノードは、
再送信されたランダムアクセスシグナリングＭｓｇ１の再送信回数が前記第二のタイプのノードのレベル情報によって確定されること；
前記第二のタイプのノードのレベル情報が変化しない場合、再送信されたランダムアクセスシグナリングＭｓｇ１の再送信回数が前回の送信する場合の再送信回数と同じであること；
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さい場合、前記第二のタイプのノードがランダムアクセスシグナリングＭｓｇ１を再送信する方式が、前記第二のタイプのノードがレベルｉに対応するランダムアクセスシグナリングＭｓｇ1の再送信回数を使用し続けてランダムアクセスシグナリングＭｓｇ1を再送信し、前記第二のタイプのノードが前記ランダムアクセスシグナリングＭｓｇ１を再送信するための送信電力を向上すること、および前記第二のタイプのノードがランダムアクセスシグナリングＭｓｇ１を再送信する送信時間指示情報がＭ１とすることのうちの少なくとも一つを含むこと；
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ前記第二のタイプのノードが前記ランダムアクセスシグナリングＭｓｇ１の送信電力を向上できない場合、前記第二のタイプのノードがランダムアクセスシグナリングＭｓｇ１を再送信する方式が、前記第二のタイプのノードがレベルｉに対応するランダムアクセスシグナリングＭｓｇ１の再送信回数を使用し続けてランダムアクセスシグナリングＭｓｇ１を再送信すること、および前記第二のタイプのノードがランダムアクセスシグナリングＭｓｇ１を再送信する送信時間指示情報がＭ２とすることのうちの少なくとも一つを含むこと；および
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、前記第二のタイプのノードがランダムアクセスシグナリングＭｓｇ１を再送信する方式が、前記第二のタイプのノードがレベルｉの次のレベルに対応するランダムアクセスシグナリングＭｓｇ１の再送信回数を使用してランダムアクセスシグナリングを再送信すること、および前記第二のタイプのノードがランダムアクセスシグナリングＭｓｇ１を再送信する送信時間指示情報がＭ０とすることのうちの少なくとも一つを含むこと；
の少なくとも一つに従ってランダムアクセスシグナリングＭｓｇ１を再送信し、
ここで、前記第一のタイプのランダムアクセス応答メッセージは、ランダムアクセス応答メッセージに同じレベルの前記第二のタイプのノードのランダムアクセス応答情報のみが含まれることを意味し、
前記ランダムアクセスシグナリングＭｓｇ１を再送信する送信時間指示情報は、ランダムアクセスシグナリングＭｓｇ１の再送信と前回のランダムアクセス応答メッセージＭｓｇ２の検出ウィンドウ終了時点との間の時間間隔を意味する。
【００１８】
本発明の実施例において、前記Ｍ０、前記Ｍ１および前記Ｍ２の間が、Ｍ０≦Ｍ１≦Ｍ２を満たすことを含む。
【００１９】
本発明の実施例において、前記レベルｉに対応するランダムアクセスシグナリングＭｓｇ１の送信回数の上限Ｎｉが前記第一のタイプのノードによって設定されること、および異なるレベルに対応するＮｉ値が異なることを含む。
【００２０】
本発明の実施例において、前記Ｋ０、前記Ｋ１、前記Ｋ２、前記Ｍ０、前記Ｍ１および前記Ｍ２の間が、Ｋ０≦Ｍ０、Ｋ１≦Ｍ１、およびＫ２≦Ｍ２のうちの少なくとも一つを満たすことを含む。
【００２１】
本発明の実施例において、前記第一の条件が、前記第二のタイプのノードによるランダムアクセス応答メッセージＭｓｇ２の復号が成功せず、且つ前記第二のタイプのノードが本レベルのランダムアクセス応答メッセージＭｓｇ２のみを復号し、且つ前記ランダムアクセス応答メッセージＭｓｇ２が第二のタイプのランダムアクセス応答メッセージＭｓｇ２に属することである場合、前記第二のタイプのノードは、
再送信されたランダムアクセスシグナリングＭｓｇ１の再送信回数が前記第二のタイプのノードのレベル情報によって確定されること；
前記第二のタイプのノードのレベル情報が変化しない場合、再送信されたランダムアクセスシグナリングＭｓｇ１の再送信回数が前回の送信する場合の再送信回数と同じであること；
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さい場合、前記第二のタイプのノードがランダムアクセスシグナリングＭｓｇ１を再送信する方式が、前記第二のタイプのノードがレベルｉに対応するランダムアクセスシグナリングＭｓｇ１の再送信回数を使用し続けてランダムアクセスシグナリングＭｓｇ１を再送信すること、前記第二のタイプのノードが前記ランダムアクセスシグナリングＭｓｇ１を再送信するための送信電力を向上すること、および前記第二のタイプのノードがランダムアクセスシグナリングＭｓｇ１を再送信する送信時間指示情報がＰ(ｉ)_１とし、ｉが前記レベルインデックスであり、レベルｉに対応することのうちの少なくとも一つを含むこと；
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ前記第二のタイプのノードが前記ランダムアクセスシグナリングＭｓｇ１の送信電力を向上できない場合、前記第二のタイプのノードがランダムアクセスシグナリングＭｓｇ１を再送信する方式が、前記第二のタイプのノードがレベルｉに対応するランダムアクセスシグナリングＭｓｇ１の再送信回数を使用し続けてランダムアクセスシグナリングＭｓｇ１を再送信すること、および前記第二のタイプのノードがランダムアクセスシグナリングＭｓｇ１を再送信する送信時間指示情報がＰ(ｉ)_２とすることのうちの少なくとも一つを含むこと；および
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、前記第二のタイプのノードがランダムアクセスシグナリングＭｓｇ１を再送信する方式が、前記第二のタイプのノードがレベルｉの次のレベルに対応するランダムアクセスシグナリングＭｓｇ１の再送信回数を使用してランダムアクセスシグナリングＭｓｇ１を再送信すること、および前記第二のタイプのノードがランダムアクセスシグナリングＭｓｇ１を再送信する送信時間指示情報がＰ(ｉ)_０とすることのうちの少なくとも一つを含むこと；
の少なくとも一つに従ってランダムアクセスシグナリングＭｓｇ１を再送信し、
ここで、前記第二のタイプのランダムアクセス応答メッセージＭｓｇ２は、ランダムアクセス応答メッセージＭｓｇ２に一つ又は複数のレベルの前記第二のタイプのノードのランダムアクセス応答情報のみが含まれることを意味し、
前記ランダムアクセスシグナリングＭｓｇ１を再送信する送信時間指示情報は、ランダムアクセスシグナリングＭｓｇ1の再送信と前回のランダムアクセス応答メッセージＭｓｇ２の検出ウィンドウ終了時点との間の時間間隔を意味する。
【００２２】
本発明の実施例において、前記Ｐ(ｉ)_０、前記Ｐ(ｉ)_１および前記Ｐ(ｉ)_２の間が、Ｐ(ｉ)_０≦Ｐ(ｉ)_１≦Ｐ(ｉ)_２を満たすことを含む。
【００２３】
本発明の実施例において、前記レベルｉに対応するランダムアクセスシグナリングＭｓｇ１の送信回数の上限Ｎｉが前記第一のタイプのノードによって設定されること、および異なるレベルに対応するＮｉ値が異なることを含む。
【００２４】
本発明の実施例において、前記第一の条件が、第二のタイプのノードによる前記第二のタイプのノードレベルのランダムアクセス応答メッセージＭｓｇ２の復号が成功せず、第二のタイプのノードによる前記第二のタイプのノードのレベルより高いランダムアクセス応答メッセージＭｓｇ２の復号が成功せず、且つ前記ランダムアクセス応答メッセージＭｓｇ２が第二のタイプのランダムアクセス応答メッセージＭｓｇ２に属することである場合、第二のタイプのノードは、
再送信されたランダムアクセスシグナリングの再送信回数が前記第二のタイプのノードにより選択された新しいレベル情報によって確定されること；
前記新しいレベルが第二のタイプのノードにより復号されたランダムアクセス応答メッセージＭｓｇ２の最高レベルの次のレベルであること；
前記第二のタイプにより復号されたランダムアクセス応答メッセージＭｓｇ２の最高レベルのインデックス情報が前記第一のタイプのノードによって前記第二のタイプのノードに送信されること；
前記第二のタイプのランダムアクセス応答メッセージＭｓｇ２が、ランダムアクセス応答メッセージＭｓｇ２に一つ又は複数のレベルの前記第二のタイプのノードのランダムアクセス応答情報のみが含まれることを意味すること；
の少なくとも一つに従ってランダムアクセスシグナリングＭｓｇ1を再送信する。
【００２５】
本発明の実施例において、前記第一の条件が、第二のタイプのノードによる前記第二のタイプのノードレベルのランダムアクセス応答メッセージＭｓｇ２の復号が成功せず、前記第二のタイプのノードによる前記第二のタイプのノードレベルより高いランダムアクセス応答メッセージＭｓｇ２の復号が成功し、且つ前記ランダムアクセス応答メッセージＭｓｇ２が第二のタイプのランダムアクセス応答メッセージＭｓｇ２に属することである場合、前記第二のタイプのノードは、
再送信されたランダムアクセスシグナリングＭｓｇ１の再送信回数が前記第二のタイプのノードにより選択された新しいレベル情報によって確定され、ここで、前記新しいレベルが、第二のタイプのノードによるランダムアクセス応答メッセージＭｓｇ２の復号の成功に対応するレベルであること；
前記第二のタイプのランダムアクセス応答メッセージＭｓｇ２が、ランダムアクセス応答メッセージＭｓｇ２に一つ又は複数のレベルの前記第二のタイプのノードのランダムアクセス応答情報のみが含まれることを意味すること；
の少なくとも一つに従ってランダムアクセスシグナリングＭｓｇ１を再送信する。
【００２６】
本発明の実施例において、前記第一の条件が、第一のタイプのノードによるＭｓｇ３メッセージの復号が成功し、且つＭｓｇ４メッセージを第二のタイプのノードに送信し、第二のタイプのノードによるＭｓｇ４メッセージの復号が成功しないことである場合、第二のタイプのノードは、
再送信されたランダムアクセスシグナリングＭｓｇ１の再送信回数が前記第二のタイプのノードに記述されたレベル情報によって確定されること；
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ前記第二のタイプのノードが前記ランダムアクセスシグナリングＭｓｇ１の送信電力を向上できる場合、前記ランダムアクセスシグナリングの送信電力を向上させないこと；および
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、前記第二のタイプのノードがレベルｉの次のレベルに対応するランダムアクセスシグナリングＭｓｇ１の再送信回数を使用してランダムアクセスシグナリングＭｓｇ１を再送信すること；
の少なくとも一つに従ってランダムアクセスシグナリングＭｓｇ１を再送信する。
【００２７】
本発明の実施例において、前記第二のタイプのノードがＭｓｇ３で、
Ｍｓｇ４メッセージの再送信回数を増加するように第一のタイプのノードに指示するための指示情報；
第一のタイプのノードによるＭｓｇ４メッセージの再送信回数の増分情報；および
第一のタイプのノードによるＭｓｇ４メッセージの再送信回数；
の少なくとも一つの情報を送信する。
【００２８】
本発明の実施例において、前記レベルｉに対応するランダムアクセスシグナリングＭｓｇ１の送信回数の上限Ｎｉが前記第一のタイプのノードによって設定されること、および異なるレベルに対応するＮｉ値が異なることを含む。
【００２９】
本発明の実施例において、前記第一の条件が、第一のタイプのノードによるＭｓｇ３メッセージの復号が成功し、且つＭｓｇ４メッセージを第二のタイプのノードに送信し、第二のタイプのノードによるＭｓｇ４メッセージの復号が成功し、前記第二のタイプのノードに送信しないことである場合、前記第二のタイプのノードは、ランダムアクセスシグナリングＭｓｇ１を再送信するために、
再送信されたランダムアクセスシグナリングＭｓｇ１の再送信回数が前記第二のタイプのノードに記述されたレベル情報によって確定されること；
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ前記第二のタイプのノードが前記ランダムアクセスシグナリングの送信電力を向上できる場合、前記ランダムアクセスシグナリングの送信電力を向上させないこと；および
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、前記第二のタイプのノードがレベルｉの次のレベルに対応するランダムアクセスシグナリングＭｓｇ１の再送信回数を使用してランダムアクセスシグナリングＭｓｇ１を再送信すること；
の少なくとも一つに従って実行する必要がある。
【００３０】
本発明の実施例において、前記レベルｉに対応するランダムアクセスシグナリングＭｓｇ１の送信回数の上限Ｎｉが前記第一のタイプのノードによって設定されること、および異なるレベルに対応するＮｉ値が異なることを含む。
【００３１】
本発明の実施例において、前記第一の条件が、第一のタイプのノードによるＭｓｇ３メッセージの復号が成功しない場合、第二のタイプのノードは、
再送信されたランダムアクセスシグナリングＭｓｇ１の再送信回数が前記第二のタイプのノードに記述されたレベル情報によって確定されること；および
前記第二のタイプのノードがレベルｉに対応するランダムアクセスシグナリングＭｓｇ１の再送信回数を使用してＭｓｇ１を再送信し、前記第一のタイプのノードによるＭｓｇ３メッセージの復号が成功できない場合、前記第二のタイプのノードがレベルｉの次のレベルに対応するランダムアクセスシグナリングＭｓｇ１の再送信回数を使用してＭｓｇ１を再送信し、ここで、前記第二のタイプのノードの現在のレベルがレベルｉであり、前記第二のタイプのノードがレベルｉにおいて再送信したランダムアクセスシグナリングＭｓｇ１の送信回数の上限がＮｉであること；
の少なくとも一つに従ってランダムアクセスシグナリングＭｓｇ１を再送信する。
【００３２】
本発明の実施例において、第二のタイプのノードのレベルは、
カバレッジ強化レベル；
ＰＲＡＣＨチャネルカバレッジ強化レベル；および
ＰＲＡＣＨチャネル再送信レベル；のうちの少なくとも一つを含む。
【００３３】
本発明の実施例において、前記第一のノードは、
マクロセル（Ｍａｃｒｏｃｅｌｌ）基地局、マイクロセル（Ｍｉｃｒｏｃｅｌｌ）基地局、ピコセル（Ｐｉｃｏｃｅｌｌ）基地局、フェムトセル（Ｆｅｍｔｏｃｅｌｌ）基地局、ホーム基地局、低電力ノードＬＰＮ及びリレーＲｅｌａｙの少なくとも一つであり、
ここで、前記第二のタイプのノードは、一つ又は複数のヒューマンツーヒューマン（Ｈ２Ｈ）通信端末、一つ又は複数のマシンツーマシン（Ｍ２Ｍ）通信端末、一つ又は複数のデバイスツーデバイス（Ｄ２Ｄ）通信端末の少なくとも一つを含む。
【００３４】
本発明の別の実施例によるランダムアクセスシグナリング再送信装置は、
第一の条件を満たしているかどうかを検出するように構成され、ここで、前記第一の条件が、
前記第二のタイプのノードによるランダムアクセス応答メッセージＭｓｇ２の復号が成功しないこと、
前記第二のタイプのノードによるランダムアクセス応答メッセージＭｓｇ２の復号が成功し、復号された前記ランダムアクセス応答メッセージＭｓｇ２に前記第二のタイプのノードへ送信されたランダムアクセス応答情報がないこと、
前記第一のタイプのノードによるＭｓｇ３メッセージの復号が成功しないこと、
前記第一のタイプのノードによるＭｓｇ３メッセージの復号が成功し、且つＭｓｇ４を前記第二のタイプのノードに送信し、前記第二のタイプのノードによるＭｓｇ４メッセージの復号が成功しないこと、および
前記第一のタイプのノードによるＭｓｇ３メッセージの復号が成功し、且つＭｓｇ４を第二のタイプのノードに送信し、第二のタイプのノードによるＭｓｇ４メッセージの復号が成功し、前記Ｍｓｇ４メッセージが前記第二のタイプのノードに送信されないことのうちの少なくとも一つを含む検出モジュールと、
前記第一の条件を満たしている場合で、第二のタイプのノードがランダムアクセスシグナリングＭｓｇ１を再送信するように構成される送信モジュールとを含む。
【００３５】
本発明の実施例において、前記第一の条件が、前記第二のタイプのノードによるランダムアクセス応答メッセージＭｓｇ２の復号が成功せず、且つ前記ランダムアクセス応答メッセージＭｓｇ２が第一のタイプのランダムアクセス応答メッセージＭｓｇ２に属することである場合、前記送信モジュールは、
再送信されたランダムアクセスシグナリングＭｓｇ１の再送信回数が前記第二のタイプのノードのレベル情報によって確定されること；
前記第二のタイプのノードのレベル情報が変化しない場合、再送信されたランダムアクセスシグナリングＭｓｇ１の再送信回数が前回の送信する場合の再送信回数と同じであること；
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さい場合、前記第二のタイプのノードがランダムアクセスシグナリングＭｓｇ１を再送信する方式が、前記第二のタイプのノードがレベルｉに対応するランダムアクセスシグナリングＭｓｇ1の再送信回数を使用し続けてランダムアクセスシグナリングＭｓｇ1を再送信すること、前記第二のタイプのノードが前記ランダムアクセスシグナリングＭｓｇ１を再送信するための送信電力を向上すること、および前記第二のタイプのノードがランダムアクセスシグナリングＭｓｇ１を再送信する送信時間指示情報がＭ１とすることのうちの少なくとも一つを含むこと；
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ前記第二のタイプのノードが前記ランダムアクセスシグナリングＭｓｇ１の送信電力を向上できない場合、前記第二のタイプのノードがランダムアクセスシグナリングＭｓｇ１を再送信する方式が、前記第二のタイプのノードがレベルｉに対応するランダムアクセスシグナリングＭｓｇ１の再送信回数を使用し続けてランダムアクセスシグナリングＭｓｇ１を再送信すること、および前記第二のタイプのノードがランダムアクセスシグナリングＭｓｇ１を再送信する送信時間指示情報がＫ２とすることのうちの少なくとも一つを含むこと；
前記第二のタイプのノードの現在のレベルがレベルｉであり、且つ前記第二のタイプのノードが前記ランダムアクセスシグナリングＭｓｇ１の送信電力を向上できない場合、前記Ｎｉ＝１とすること；および
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、前記第二のタイプのノードがランダムアクセスシグナリングＭｓｇ１を再送信する方式が、前記第二のタイプのノードがレベルｉの次のレベルに対応するランダムアクセスシグナリングＭｓｇ１の再送信回数を使用してランダムアクセスシグナリングを再送信すること、および前記第二のタイプのノードがランダムアクセスシグナリングＭｓｇ１を再送信する送信時間指示情報がＫ０とすることのうちの少なくとも一つを含むこと；
の少なくとも一つに従ってランダムアクセスシグナリングＭｓｇ１を再送信し、
ここで、前記ランダムアクセスシグナリングＭｓｇ１を再送信する送信時間指示情報が、ランダムアクセスシグナリングＭｓｇ１の再送信と前回のランダムアクセス応答メッセージＭｓｇ２の検出ウィンドウ終了時点の時間間隔を意味し、
前記第一のタイプのランダムアクセス応答メッセージＭｓｇ２が、ランダムアクセス応答メッセージＭｓｇ２に同じレベルの前記第二のタイプのノードのランダムアクセス応答情報が含まれることを意味する。
【００３６】
本発明の実施例において、前記Ｋ０、前記Ｋ１および前記Ｋ２の間が、Ｋ０≦Ｋ１≦Ｋ２を満たすことを含む。
【００３７】
本発明の実施例において、前記レベルｉに対応するランダムアクセスシグナリングＭｓｇ１の送信回数の上限Ｎｉが前記第一のタイプのノードによって設定されること、および異なるレベルに対応するＮｉ値が異なることを含む。
【００３８】
本発明の実施例において、前記第一の条件が、前記第二のタイプのノードによるランダムアクセス応答メッセージＭｓｇ２の復号が成功したが、前記第二のタイプのノードへ送信されたランダムアクセス応答情報がなく、且つ前記ランダムアクセス応答メッセージＭｓｇ２が第一のタイプのランダムアクセス応答メッセージＭｓｇ２に属することである場合、前記送信モジュールは、
再送信されたランダムアクセスシグナリングＭｓｇ１の再送信回数が前記第二のタイプのノードのレベル情報によって確定されること；
前記第二のタイプのノードのレベル情報が変化しない場合、再送信されたランダムアクセスシグナリングＭｓｇ１の再送信回数が前回の送信する場合の再送信回数と同じであること；
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さい場合、前記第二のタイプのノードがランダムアクセスシグナリングＭｓｇ１を再送信する方式が、前記第二のタイプのノードがレベルｉに対応するランダムアクセスシグナリングＭｓｇ１の再送信回数を使用し続けてランダムアクセスシグナリングＭｓｇ１を再送信し、前記第二のタイプのノードが前記ランダムアクセスシグナリングＭｓｇ１を再送信するための送信電力を向上すること、および前記第二のタイプのノードがランダムアクセスシグナリングＭｓｇ１を再送信する送信時間指示情報がＭ１とすることのうちの少なくとも一つを含むこと；
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ前記第二のタイプのノードが前記ランダムアクセスシグナリングＭｓｇ１の送信電力を向上できない場合、前記第二のタイプのノードがランダムアクセスシグナリングＭｓｇ１を再送信する方式が、前記第二のタイプのノードがレベルｉに対応するランダムアクセスシグナリングＭｓｇ１の再送信回数を使用し続けてランダムアクセスシグナリングＭｓｇ１を再送信すること、および前記第二のタイプのノードがランダムアクセスシグナリングＭｓｇ１を再送信する送信時間指示情報がＭ２とすることのうちの少なくとも一つを含むこと；および
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、前記第二のタイプのノードがランダムアクセスシグナリングＭｓｇ１を再送信する方式が前記第二のタイプのノードがレベルｉの次のレベルに対応するランダムアクセスシグナリングＭｓｇ１の再送信回数を使用してランダムアクセスシグナリングを再送信すること、および前記第二のタイプのノードがランダムアクセスシグナリングＭｓｇ１を再送信する送信時間指示情報がＭ０とすることのうちの少なくとも一つを含むこと；
の少なくとも一つに従ってランダムアクセスシグナリングＭｓｇｌを再送信し、
ここで、前記第一のタイプのランダムアクセス応答メッセージは、ランダムアクセス応答メッセージに同じレベルの前記第二のタイプのノードのランダムアクセス応答情報のみが含まれることを意味し、
前記ランダムアクセスシグナリングＭｓｇ１を再送信する送信時間指示情報が、ランダムアクセスシグナリングの再送信と前回のランダムアクセス応答メッセージＭｓｇ２の検出ウィンドウ終了時点との間の時間間隔を意味する。
【００３９】
本発明の実施例において、前記Ｍ０、前記Ｍ１および前記Ｍ２の間が、Ｍ０≦Ｍ１≦Ｍ２を満たすことを含む。
【００４０】
本発明の実施例において、前記レベルｉに対応するランダムアクセスシグナリングＭｓｇ１の送信回数の上限Ｎｉが前記第一のタイプのノードによって設定されること、および異なるレベルに対応するＮｉ値が異なることを含む。
【００４１】
本発明の実施例において、前記Ｋ０、前記Ｋ１、前記Ｋ２、前記Ｍ０、前記Ｍ１および前記Ｍ２の間が、Ｋ０≦Ｍ０、Ｋ１≦Ｍ１、およびＫ２≦Ｍ２のうちの少なくとも一つを満たすことを含む。
【００４２】
本発明の実施例において、前記第一の条件が、前記第二のタイプのノードによるランダムアクセス応答メッセージＭｓｇ２の復号が成功せず、且つ前記第二のタイプのノードが本レベルのランダムアクセス応答メッセージＭｓｇ２のみを復号し、且つ前記ランダムアクセス応答メッセージＭｓｇ２が第二のタイプのランダムアクセス応答メッセージＭｓｇ２に属することである場合、前記送信モジュールは、
再送信されたランダムアクセスシグナリングＭｓｇ１の再送信回数が前記第二のタイプのノードのレベル情報によって確定されること；
前記第二のタイプのノードのレベル情報が変化しない場合、再送信されたランダムアクセスシグナリングＭｓｇ１の再送信回数が前回の送信する場合の再送信回数と同じであること；
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さい場合、前記第二のタイプのノードがランダムアクセスシグナリングＭｓｇ１を再送信する方式が、前記第二のタイプのノードがレベルｉに対応するランダムアクセスシグナリングＭｓｇ１の再送信回数を使用し続けてランダムアクセスシグナリングＭｓｇ１を再送信すること、前記第二のタイプのノードが前記ランダムアクセスシグナリングＭｓｇ１を再送信するための送信電力を向上すること、および前記第二のタイプのノードがランダムアクセスシグナリングＭｓｇ１を再送信する送信時間指示情報がＰ(ｉ)_１とし、ｉが前記レベルインデックスであり、レベルｉに対応することのうちの少なくとも一つを含むこと；
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ前記第二のタイプのノードが前記ランダムアクセスシグナリングＭｓｇ１の送信電力を向上できない場合、前記第二のタイプのノードがランダムアクセスシグナリングＭｓｇ１を再送信する方式が、前記第二のタイプのノードがレベルｉに対応するランダムアクセスシグナリングＭｓｇ１の再送信回数を使用し続けてランダムアクセスシグナリングＭｓｇ１を再送信すること、および前記第二のタイプのノードがランダムアクセスシグナリングＭｓｇ１を再送信する送信時間指示情報がＰ(ｉ)_２とすることのうちの少なくとも一つを含むこと；および
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、前記第二のタイプのノードがランダムアクセスシグナリングＭｓｇ１を再送信する方式が、前記第二のタイプのノードがレベルｉの次のレベルに対応するランダムアクセスシグナリングＭｓｇ１の再送信回数を使用してランダムアクセスシグナリングＭｓｇ１を再送信すること、および前記第二のタイプのノードがランダムアクセスシグナリングＭｓｇ１を再送信する送信時間指示情報がＰ(ｉ)_０とすることのうちの少なくとも一つを含むこと；
の少なくとも一つに従ってランダムアクセスシグナリングＭｓｇ１を再送信し、
ここで、前記第二のタイプのランダムアクセス応答メッセージＭｓｇ２が、ランダムアクセス応答メッセージＭｓｇ２に一つ又は複数のレベルの前記第二のタイプのノードのランダムアクセス応答情報のみが含まれることを意味し、
前記ランダムアクセスシグナリングＭｓｇ１を再送信する送信時間指示情報が、ランダムアクセスシグナリングＭｓｇ1の再送信と前回のランダムアクセス応答メッセージＭｓｇ２の検出ウィンドウ終了時点との間の時間間隔を意味する。
【００４３】
本発明の実施例において、前記Ｐ(ｉ)_０、前記Ｐ(ｉ)_１および前記Ｐ(ｉ)_２の間が、Ｐ(ｉ)_０≦Ｐ(ｉ)１≦Ｐ(ｉ)_２を満たすことを含む。
【００４４】
本発明の実施例において、前記レベルｉに対応するランダムアクセスシグナリングＭｓｇ１の送信回数の上限Ｎｉが前記第一のタイプのノードによって設定されること、および異なるレベルに対応するＮｉ値が異なることを含む。
【００４５】
本発明の実施例において、前記第一の条件が、第二のタイプのノードによる前記第二のタイプのノードレベルのランダムアクセス応答メッセージＭｓｇ２の復号が成功せず、第二のタイプのノードによる前記第二のタイプのノードレベルより高いランダムアクセス応答メッセージＭｓｇ２の復号が成功せず、且つ前記ランダムアクセス応答メッセージＭｓｇ２が第二のタイプのランダムアクセス応答メッセージＭｓｇ２に属することである場合、前記送信モジュールは、以下の少なくとも一つに従ってランダムアクセスシグナリングＭｓｇ１を再送信する：
再送信されたランダムアクセスシグナリングの再送信回数が前記第二のタイプのノードにより選択された新しいレベル情報によって確定されること、
前記新しいレベルが第二のタイプのノードにより復号されたランダムアクセス応答メッセージＭｓｇ２の最高レベルの次のレベルであること、
前記第二のタイプにより復号されたランダムアクセス応答メッセージＭｓｇ２の最高レベルのインデックス情報が前記第一のタイプのノードによって前記第二のタイプのノードに送信されること、
前記第二のタイプのランダムアクセス応答メッセージＭｓｇ２が、ランダムアクセス応答メッセージＭｓｇ２に一つ又は複数のレベルの前記第二のタイプのノードのランダムアクセス応答情報のみが含まれることを意味することである。
【００４６】
本発明の実施例において、前記第一の条件が、第二のタイプのノードによる前記第二のタイプのノードレベルのランダムアクセス応答メッセージＭｓｇ２の復号が成功せず、前記第二のタイプのノードによる前記第二のタイプのノードレベルより高いランダムアクセス応答メッセージＭｓｇ２の復号が成功し、且つ前記ランダムアクセス応答メッセージＭｓｇ２が第二のタイプのランダムアクセス応答メッセージＭｓｇ２に属することである場合、前記送信モジュールは、
再送信されたランダムアクセスシグナリングＭｓｇ１の再送信回数が前記第二のタイプのノードにより選択された新しいレベル情報によって確定されることであり、ここで、前記新しいレベルが第二のタイプのノードによるランダムアクセス応答メッセージＭｓｇ２の復号の成功に対応するレベルであること；
前記第二のタイプのランダムアクセス応答メッセージＭｓｇ２がランダムアクセス応答メッセージＭｓｇ２に一つ又は複数のレベルの前記第二のタイプのノードのランダムアクセス応答情報のみが含まれることを意味すること；
の少なくとも一つに従ってランダムアクセスシグナリングＭｓｇ１を再送信する。
【００４７】
本発明の実施例において、前記第一の条件が、第一のタイプのノードによるＭｓｇ３メッセージの復号が成功し、且つＭｓｇ４を第二のタイプのノードに送信し、第二のタイプのノードによるＭｓｇ４の復号が成功しないことである場合、前記送信モジュールは、
再送信されたランダムアクセスシグナリングＭｓｇ１の再送信回数が前記第二のタイプのノードに記述されたレベル情報によって確定されること；
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ前記第二のタイプのノードが前記ランダムアクセスシグナリングＭｓｇ１の送信電力を向上できる場合、前記ランダムアクセスシグナリングの送信電力を向上させないこと；および
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、前記第二のタイプのノードがレベルｉの次のレベルに対応するランダムアクセスシグナリングＭｓｇ１の再送信回数を使用してランダムアクセスシグナリングＭｓｇ１を再送信すること；
の少なくとも一つに従ってランダムアクセスシグナリングＭｓｇ１を再送信する。
【００４８】
本発明の実施例において、前記第二のタイプのノードが、Ｍｓｇ３で、
Ｍｓｇ４の再送信回数を増加するように第一のタイプのノードに指示するための指示情報；
第一のタイプのノードによるＭｓｇ４の再送信回数の増分情報；および
第一のタイプのノードによるＭｓｇ４の再送信回数；
の少なくとも一つの情報を送信する。
【００４９】
本発明の実施例において、前記レベルｉに対応するランダムアクセスシグナリングＭｓｇ１の送信回数の上限Ｎｉが前記第一のタイプのノードによって設定されること、および異なるレベルに対応するＮｉ値が異なることを含む。
【００５０】
本発明の実施例において、前記第一の条件が、第一のタイプのノードによるＭｓｇ３メッセージの復号が成功し、且つＭｓｇ４を第二のタイプのノードに送信し、第二のタイプのノードによるＭｓｇ４メッセージの復号が成功し、前記第二のタイプのノードに送信しないことである場合、前記送信モジュールは、ランダムアクセスシグナリングＭｓｇ１を再送信するために、
再送信されたランダムアクセスシグナリングＭｓｇ１の再送信回数が前記第二のタイプのノードに記述されたレベル情報によって確定されること；
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ前記第二のタイプのノードが前記ランダムアクセスシグナリングの送信電力を向上できる場合、前記ランダムアクセスシグナリングの送信電力を向上させないこと；および
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、前記第二のタイプのノードがレベルｉの次のレベルに対応するランダムアクセスシグナリングＭｓｇ１の再送信回数を使用してランダムアクセスシグナリングＭｓｇ１を再送信すること；
の少なくとも一つに従って実行する必要がある。
【００５１】
本発明の実施例において、前記レベルｉに対応するランダムアクセスシグナリングＭｓｇ１の送信回数の上限Ｎｉが前記第一のタイプのノードによって設定されること、および異なるレベルに対応するＮｉ値が異なることを含む。
【００５２】
本発明の実施例において、前記第一の条件が、第一のタイプのノードによるＭｓｇ３メッセージの復号が成功しないことである場合、前記送信モジュールは、
再送信されたランダムアクセスシグナリングＭｓｇ１の再送信回数が前記第二のタイプのノードに記述されたレベル情報によって確定されること；および
前記第二のタイプのノードがレベルｉに対応するランダムアクセスシグナリングＭｓｇ１の再送信回数を使用してＭｓｇ１を再送信し、前記第一のタイプのノードによるＭｓｇ３メッセージの復号が成功できない場合、前記第二のタイプのノードがレベルｉの次のレベルに対応するランダムアクセスシグナリングＭｓｇ１の再送信回数を使用してＭｓｇ１を再送信し、ここで、前記第二のタイプのノードの現在のレベルがレベルｉであり、前記第二のタイプのノードがレベルｉにおいて再送信したランダムアクセスシグナリングＭｓｇ１の送信回数の上限がＮｉであること；
の少なくとも一つに従ってランダムアクセスシグナリングＭｓｇ１を再送信する。
【００５３】
本発明の実施例において、第二のタイプのノードのレベルは、
カバレッジ強化レベル；
ＰＲＡＣＨチャネルカバレッジ強化レベル；および
ＰＲＡＣＨチャネル再送信レベル；のうちの少なくとも一つを含む。
【００５４】
本発明の実施例において、前記第一のノードは、
マクロセル（Ｍａｃｒｏｃｅｌｌ）基地局、マイクロセル（Ｍｉｃｒｏｃｅｌｌ）基地局、ピコセル（Ｐｉｃｏｃｅｌｌ）基地局、フェムトセル（Ｆｅｍｔｏｃｅｌｌ）基地局、ホーム基地局、低電力ノードＬＰＮ及びリレーＲｅｌａｙの少なくとも一つであり、
ここで、前記第二のタイプのノードは、一つ又は複数のヒューマンツーヒューマン（Ｈ２Ｈ）通信端末、一つ又は複数のマシンツーマシン（Ｍ２Ｍ）通信端末、一つ又は複数のデバイスツーデバイス（Ｄ２Ｄ）通信端末の少なくとも一つを含む。
【００５５】
本発明では、第一の条件を満たしている場合で、第二のタイプのノードがランダムアクセスシグナリングＭｓｇｌを再送信し、ここで、該第一の条件は、該第二のタイプのノードによるランダムアクセス応答メッセージＭｓｇ２の復号が成功しないこと；該第二のタイプのノードによるランダムアクセス応答メッセージＭｓｇ２の復号が成功し、復号された前記ランダムアクセス応答メッセージＭｓｇ２に該第二のタイプのノードへ送信されたランダムアクセス応答情報がないこと；該第一のタイプのノードによるＭｓｇ３メッセージの復号が成功しないこと；該第一のタイプのノードによるＭｓｇ３メッセージの復号が成功し、且つＭｓｇ４を該第二のタイプのノードに送信し、該第二のタイプのノードによるＭｓｇ４メッセージの復号が成功しないこと；および該第一のタイプのノードによるＭｓｇ３メッセージの復号が成功し、且つＭｓｇ４を第二のタイプのノードに送信し、第二のタイプのノードによるＭｓｇ４メッセージの復号が成功し、該Ｍｓｇ４メッセージが該第二のタイプのノードに送信されないこと；のうちの少なくとも一つを含み、これにより、ユーザ端末がＬＴＥ／ＬＴＥ−Ａシステムにアクセスするアクセス品質が高くないという問題を解決し、ユーザ端末がＬＴＥ／ＬＴＥ−Ａシステムにアクセスするアクセス品質を向上させる。
【図面の簡単な説明】
【００５６】
【図１】本発明の実施例によるランダムアクセスシグナリング再送信方法のフローチャートである。
【図２】本発明の実施例によるランダムアクセスシグナリング再送信装置の構成のブロック図である。
【発明を実施するための形態】
【００５７】
ここで説明した図面は本発明に対する更なる理解を提供するためのものであり、本出願の一部を構成し、本発明の例示的な実施例及びその説明は本発明を解釈することに用いられ、本発明に対する不適切な制限を構成するものではない。
【００５８】
以下に図面を参照し且つ実施例と組み合わせて本発明を詳しく説明する。説明すべきものとして、衝突しない場合で、本出願における実施例及び実施例における特徴は相互に組み合わせられることができる。
【００５９】
説明すべきものとして、本発明の明細書と特許請求の範囲および上記の図面における「第一」、「第二」などは類似するオブジェクトを区別するために使用され、特定の順序又は順序を記述することに用いられる必要がない。
【００６０】
本実施例においてランダムアクセスシグナリング再送信方法が提供され、図１は本発明の実施例によるランダムアクセスシグナリング再送信方法のフローチャートであり、図１に示すように、該フローは以下のステップを含む。
【００６１】
ステップＳ１０２において、第一の条件を満たしているかどうかを検出する。該第一の条件は、該第二のタイプのノードによるランダムアクセス応答メッセージＭｓｇ２の復号が成功しないこと；該第二のタイプのノードによるランダムアクセス応答メッセージＭｓｇ２の復号が成功し、復号されたランダムアクセス応答メッセージＭｓｇ２に該第二のタイプのノードへ送信されたランダムアクセス応答情報がないこと；該第一のタイプのノードによるＭｓｇ３メッセージの復号が成功しないこと；該第一のタイプのノードによるＭｓｇ３メッセージの復号が成功し、且つＭｓｇ４を該第二のタイプのノードに送信し、該第二のタイプのノードによるＭｓｇ４メッセージの復号が成功しないこと；および該第一のタイプのノードによるＭｓｇ３メッセージの復号が成功し、且つＭｓｇ４を第二のタイプのノードに送信し、第二のタイプのノードによるＭｓｇ４メッセージの復号が成功し、該Ｍｓｇ４メッセージが該第二のタイプのノードに送信されないこと；のうちの少なくとも一つを含む。
【００６２】
ステップＳ１０４において、第一の条件を満たしている場合で、第二のタイプのノードはランダムアクセスシグナリングＭｓｇ１を再送信する。
【００６３】
上記ステップにおいてユーザ端末がＬＴＥ／ＬＴＥ−ＡシステムのＭｓｇ１、Ｍｓｇ２、Ｍｓｇ３とＭｓｇ４に対して強化設計を行うことにより、ＭＴＣ  ＵＥが正常にシステムにアクセスできることを保証し、ユーザ端末がＬＴＥ／ＬＴＥ−Ａシステムにアクセスするアクセス品質が高くないという問題を解決し、ユーザ端末がＬＴＥ／ＬＴＥ−Ａシステムのアクセス品質を向上させる。
【００６４】
本実施例において、該第一の条件が、該第二のタイプのノードによるランダムアクセス応答メッセージＭｓｇ２の復号が成功せず、且つ該ランダムアクセス応答メッセージＭｓｇ２が第一のタイプのランダムアクセス応答メッセージＭｓｇ２に属することである場合、該第二のタイプのノードは、
再送信されたランダムアクセスシグナリングＭｓｇ１の再送信回数が該第二のタイプのノードのレベル情報によって確定されること；
該第二のタイプのノードのレベル情報が変化しない場合、再送信されたランダムアクセスシグナリングＭｓｇ１の再送信回数が前回の送信する場合の再送信回数と同じであること；
該第二のタイプのノードの現在のレベルがレベルｉであり、該第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さい場合、該第二のタイプのノードがランダムアクセスシグナリングＭｓｇ１を再送信する方式が、該第二のタイプのノードがレベルｉに対応するランダムアクセスシグナリングＭｓｇ1の再送信回数を使用し続けてランダムアクセスシグナリングＭｓｇ1を再送信すること、該第二のタイプのノードが該ランダムアクセスシグナリングＭｓｇ１を再送信するための送信電力を向上すること、および該第二のタイプのノードがランダムアクセスシグナリングＭｓｇ１を再送信する送信時間指示情報がＫ１とすることのうちの少なくとも一つを含むこと；
該第二のタイプのノードの現在のレベルがレベルｉであり、該第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ該第二のタイプのノードが該ランダムアクセスシグナリングＭｓｇ１の送信電力を向上できない場合、該第二のタイプのノードがランダムアクセスシグナリングＭｓｇ１を再送信する方式が、該第二のタイプのノードがレベルｉに対応するランダムアクセスシグナリングＭｓｇ１の再送信回数を使用し続けてランダムアクセスシグナリングＭｓｇ１を再送信すること、および該第二のタイプのノードがランダムアクセスシグナリングＭｓｇ１を再送信する送信時間指示情報がＫ２とすることのうちの少なくとも一つを含むこと；
該第二のタイプのノードの現在のレベルがレベルｉであり、且つ該第二のタイプのノードが該ランダムアクセスシグナリングＭｓｇ１の送信電力を向上できない場合、Ｎｉ＝１とすること；および
該第二のタイプのノードの現在のレベルがレベルｉであり、該第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、該第二のタイプのノードがランダムアクセスシグナリングＭｓｇ１を再送信する方式が、該第二のタイプのノードがレベルｉの次のレベルに対応するランダムアクセスシグナリングＭｓｇ１の再送信回数を使用してランダムアクセスシグナリングを再送信すること、および該第二のタイプのノードがランダムアクセスシグナリングＭｓｇ１を再送信する送信時間指示情報がＫ０とすることのうちの少なくとも一つを含むこと；
の少なくとも一つに従ってランダムアクセスシグナリングＭｓｇ１を再送信する。
【００６５】
ここで、ランダムアクセスシグナリングＭｓｇ１を再送信する送信時間指示情報は、ランダムアクセスシグナリングＭｓｇ１の再送信と前回のランダムアクセス応答メッセージＭｓｇ２の検出ウィンドウ終了時点との間の時間間隔を意味する。
【００６６】
該第一のタイプのランダムアクセス応答メッセージＭｓｇ２は、該ランダムアクセス応答メッセージＭｓｇ２に同じレベルの該第二のタイプのノードのランダムアクセス応答情報が含まれることを意味する。
【００６７】
本発明の実施例において、該Ｋ０、該Ｋ１および該Ｋ２の間は、Ｋ０≦Ｋ１≦Ｋ２の条件を満たす。
【００６８】
本実施例において、該レベルｉに対応するランダムアクセスシグナリングＭｓｇ１の送信回数の上限Ｎｉが該第一のタイプのノードによって設定され、異なるレベルに対応するＮｉ値が異なる。
【００６９】
本発明の実施例において、該第一の条件が、第二のタイプのノードによるランダムアクセス応答メッセージＭｓｇ２の復号が成功したが、該第二のタイプのノードへ送信されたランダムアクセス応答情報Ｍｓｇ２がなく、且つ該ランダムアクセス応答メッセージＭｓｇ２が第一のタイプのランダムアクセス応答メッセージＭｓｇ２に属することである場合、第二のタイプのノードは、
再送信されたランダムアクセスシグナリングＭｓｇ１の再送信回数が該第二のタイプのノードのレベル情報によって確定されること；
該第二のタイプのノードのレベル情報が変化しない場合、再送信されたランダムアクセスシグナリングＭｓｇ１の再送信回数が前回の送信する場合の再送信回数と同じであること；
該第二のタイプのノードの現在のレベルがレベルｉであり、該第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さい場合、該第二のタイプのノードがランダムアクセスシグナリングＭｓｇ１を再送信する方式が、該第二のタイプのノードがレベルｉに対応するランダムアクセスシグナリングＭｓｇ１の再送信回数を使用し続けてランダムアクセスシグナリングＭｓｇ１を再送信し、該第二のタイプのノードが該ランダムアクセスシグナリングＭｓｇ１を再送信するための送信電力を向上すること、および該第二のタイプのノードがランダムアクセスシグナリングＭｓｇ１を再送信する送信時間指示情報がＭ１とすることのうちの少なくとも一つを含むこと；
該第二のタイプのノードの現在のレベルがレベルｉであり、該第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ該第二のタイプのノードが該ランダムアクセスシグナリングＭｓｇ１の送信電力を向上できない場合、該第二のタイプのノードがランダムアクセスシグナリングＭｓｇ１を再送信する方式が、該第二のタイプのノードがレベルｉに対応するランダムアクセスシグナリングＭｓｇ１の再送信回数を使用し続けてランダムアクセスシグナリングＭｓｇ１を再送信すること、および該第二のタイプのノードがランダムアクセスシグナリングＭｓｇ１を再送信する送信時間指示情報がＭ２とすることのうちの少なくとも一つを含むこと；および
該第二のタイプのノードの現在のレベルがレベルｉであり、該第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、該第二のタイプのノードがランダムアクセスシグナリングＭｓｇ１を再送信する方式が、該第二のタイプのノードがレベルｉの次のレベルに対応するランダムアクセスシグナリングＭｓｇ１の再送信回数を使用してランダムアクセスシグナリングを再送信すること、および該第二のタイプのノードがランダムアクセスシグナリングＭｓｇ１を再送信する送信時間指示情報がＭ０とすることのうちの少なくとも一つを含むこと；
以下の少なくとも一つに従ってランダムアクセスシグナリングＭｓｇｌを再送信する。
【００７０】
ここで、該第一のタイプのランダムアクセス応答メッセージは、ランダムアクセス応答メッセージに同じレベルの前記第二のタイプのノードのランダムアクセス応答情報のみが含まれることを意味する。
【００７１】
該ランダムアクセスシグナリングＭｓｇ１を再送信する送信時間指示情報は、ランダムアクセスシグナリングの再送信と前回のランダムアクセス応答メッセージＭｓｇ２の検出ウィンドウ終了時点との間の時間間隔を意味する。
【００７２】
本実施例において、該Ｍ０、該Ｍ１および該Ｍ２の間は、Ｍ０≦Ｍ１≦Ｍ２の条件を満たすことを含む。
【００７３】
本実施例において、該レベルｉに対応するランダムアクセスシグナリングＭｓｇ１の送信回数の上限Ｎｉが該第一のタイプのノードによって設定され、異なるレベルに対応するＮｉ値が異なる。
【００７４】
本実施例において、該Ｋ０、該Ｋ１、該Ｋ２、該Ｍ０、該Ｍ１および該Ｍ２の間は、Ｋ０≦Ｍ０；Ｋ１≦Ｍ１；およびＫ２≦Ｍ２のうちの少なくとも一つを満たす。
【００７５】
本実施例において、該第一の条件が、該第二のタイプのノードによるランダムアクセス応答メッセージＭｓｇ２の復号が成功せず、且つ該第二のタイプのノードが本レベルのランダムアクセス応答メッセージＭｓｇ２のみを復号し、且つ該ランダムアクセス応答メッセージＭｓｇ２が第二のタイプのランダムアクセス応答メッセージＭｓｇ２に属することである場合、該第二のタイプのノードは、
再送信されたランダムアクセスシグナリングＭｓｇ１の再送信回数が該第二のタイプのノードのレベル情報によって確定されること；
該第二のタイプのノードのレベル情報が変化しない場合、再送信されたランダムアクセスシグナリングＭｓｇ１の再送信回数が前回の送信する場合の再送信回数と同じであること；
該第二のタイプのノードの現在のレベルがレベルｉであり、該第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さい場合、該第二のタイプのノードがランダムアクセスシグナリングＭｓｇ１を再送信する方式が、該第二のタイプのノードがレベルｉに対応するランダムアクセスシグナリングＭｓｇ１の再送信回数を使用し続けてランダムアクセスシグナリングＭｓｇ１を再送信すること、該第二のタイプのノードが該ランダムアクセスシグナリングＭｓｇ１を再送信するための送信電力を向上すること、および該第二のタイプのノードがランダムアクセスシグナリングＭｓｇ１を再送信する送信時間指示情報がＰ(ｉ)_１とし、ｉが該レベルインデックスであり、レベルｉに対応することのうちの少なくとも一つを含むこと；
該第二のタイプのノードの現在のレベルがレベルｉであり、該第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ該第二のタイプのノードが該ランダムアクセスシグナリングＭｓｇ１の送信電力を向上できない場合、該第二のタイプのノードがランダムアクセスシグナリングＭｓｇ１を再送信する方式が、該第二のタイプのノードがレベルｉに対応するランダムアクセスシグナリングＭｓｇ１の再送信回数を使用し続けてランダムアクセスシグナリングＭｓｇ１を再送信すること、および該第二のタイプのノードがランダムアクセスシグナリングＭｓｇ１を再送信する送信時間指示情報がＰ(ｉ)_２とすることのうちの少なくとも一つを含むこと；および
該第二のタイプのノードの現在のレベルがレベルｉであり、該第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、該第二のタイプのノードがランダムアクセスシグナリングＭｓｇ１を再送信する方式が、該第二のタイプのノードがレベルｉの次のレベルに対応するランダムアクセスシグナリングＭｓｇ１の再送信回数を使用してランダムアクセスシグナリングＭｓｇ１を再送信すること、および該第二のタイプのノードがランダムアクセスシグナリングＭｓｇ１を再送信する送信時間指示情報がＰ(ｉ)_０とすることのうちの少なくとも一つを含むこと；
の少なくとも一つに従ってランダムアクセスシグナリングＭｓｇ１を再送信する。
【００７６】
ここで、該第二のタイプのランダムアクセス応答メッセージＭｓｇ２は、ランダムアクセス応答メッセージＭｓｇ２に一つ又は複数のレベルの該第二のタイプのノードのランダムアクセス応答情報のみが含まれることを意味する。
【００７７】
該ランダムアクセスシグナリングＭｓｇ１を再送信する送信時間指示情報は、ランダムアクセスシグナリングＭｓｇ1の再送信と前回のランダムアクセス応答メッセージＭｓｇ２の検出ウィンドウ終了時点との間の時間間隔を意味する。
【００７８】
本実施例において、該Ｐ(ｉ)_０、該Ｐ(ｉ)_１および該Ｐ(ｉ)_２の間は、Ｐ(ｉ)_０≦Ｐ(ｉ)１≦Ｐ(ｉ)_２の条件を満たす。
【００７９】
本実施例において、該レベルｉに対応するランダムアクセスシグナリングＭｓｇ１の送信回数の上限Ｎｉが該第一のタイプのノードによって設定され、異なるレベルに対応するＮｉ値が異なる。
【００８０】
本実施例において、該第一の条件が、第二のタイプのノードによる該第二のタイプのノードレベルのランダムアクセス応答メッセージＭｓｇ２の復号が成功せず、第二のタイプのノードによる該第二のタイプのノードのレベルより高いランダムアクセス応答メッセージＭｓｇ２の復号が成功せず、且つ該ランダムアクセス応答メッセージＭｓｇ２が第二のタイプのランダムアクセス応答メッセージＭｓｇ２に属することである場合、第二のタイプのノードは、
再送信されたランダムアクセスシグナリングの再送信回数が該第二のタイプのノードにより選択された新しいレベル情報によって確定されること；
該新しいレベルが第二のタイプのノードにより復号されたランダムアクセス応答メッセージＭｓｇ２の最高レベルの次のレベルであること；
該第二のタイプにより復号されたランダムアクセス応答メッセージＭｓｇ２の最高レベルのインデックス情報が該第一のタイプのノードによって該第二のタイプのノードに送信されること；および
該第二のタイプのランダムアクセス応答メッセージＭｓｇ２がランダムアクセス応答メッセージＭｓｇ２に一つ又は複数のレベルの該第二のタイプのノードのランダムアクセス応答情報のみが含まれることを意味すること；
の少なくとも一つに従ってランダムアクセスシグナリングＭｓｇ１を再送信する。
【００８１】
本実施例において、該第一の条件が、第二のタイプのノードによる該第二のタイプのノードレベルのランダムアクセス応答メッセージＭｓｇ２の復号が成功せず、該第二のタイプのノードによる該第二のタイプのノードレベルより高いランダムアクセス応答メッセージＭｓｇ２の復号が成功し、且つ該ランダムアクセス応答メッセージＭｓｇ２が第二のタイプのランダムアクセス応答メッセージＭｓｇ２に属することである場合、該第二のタイプのノードは、
再送信されたランダムアクセスシグナリングＭｓｇ１の再送信回数が該第二のタイプのノードにより選択された新しいレベル情報によって確定され、ここで、該新しいレベルが第二のタイプのノードによるランダムアクセス応答メッセージＭｓｇ２の復号の成功に対応するレベルであること；
該第二のタイプのランダムアクセス応答メッセージＭｓｇ２が、ランダムアクセス応答メッセージＭｓｇ２に一つ又は複数のレベルの該第二のタイプのノードのランダムアクセス応答情報のみが含まれることを意味すること；
の少なくとも一つに従ってランダムアクセスシグナリングＭｓｇ１を再送信する。
【００８２】
本実施例において、該第一の条件が、第一のタイプのノードによるＭｓｇ３メッセージの復号が成功し、且つＭｓｇ４を第二のタイプのノードに送信し、第二のタイプのノードによるＭｓｇ４の復号が成功しないことである場合、該第二のタイプのノードは、
再送信されたランダムアクセスシグナリングＭｓｇ１の再送信回数が該第二のタイプのノードに記述されるレベル情報によって確定されること；
該第二のタイプのノードの現在のレベルがレベルｉであり、該第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ該第二のタイプのノードが該ランダムアクセスシグナリングＭｓｇ１の送信電力を向上できる場合、該ランダムアクセスシグナリングの送信電力を向上させないこと；および
該第二のタイプのノードの現在のレベルがレベルｉであり、該第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、該第二のタイプのノードがレベルｉの次のレベルに対応するランダムアクセスシグナリングＭｓｇ１の再送信回数を使用してランダムアクセスシグナリングＭｓｇ１を再送信すること；
の少なくとも一つに従ってランダムアクセスシグナリングＭｓｇ１を再送信する。
【００８３】
本実施例において、該第二のタイプのノードがＭｓｇ３で、
Ｍｓｇ４の再送信回数を増加するように第一のタイプのノードに指示するための指示情報；
第一のタイプのノードによるＭｓｇ４の再送信回数の増分情報；および
第一のタイプのノードによるＭｓｇ４の再送信回数；の少なくとも一つの情報を送信する。
【００８４】
本実施例において、該レベルｉに対応するランダムアクセスシグナリングＭｓｇ１の送信回数の上限Ｎｉが該第一のタイプのノードによって設定され、異なるレベルに対応するＮｉ値が異なる。
【００８５】
本実施例において、該第一の条件が、第一のタイプのノードによるＭｓｇ３メッセージの復号が成功し、且つＭｓｇ４を第二のタイプのノードに送信し、第二のタイプのノードによるＭｓｇ４メッセージの復号が成功し、該第二のタイプのノードに送信しないことである場合、該第二のタイプのノードは、ランダムアクセスシグナリングＭｓｇ１を再送信するために、
再送信されたランダムアクセスシグナリングＭｓｇ１の再送信回数が該第二のタイプのノードに記述されるレベル情報によって確定されること；
該第二のタイプのノードの現在のレベルがレベルｉであり、該第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ該第二のタイプのノードが該ランダムアクセスシグナリングの送信電力を向上できる場合、該ランダムアクセスシグナリングの送信電力を向上させないこと；および
該第二のタイプのノードの現在のレベルがレベルｉであり、該第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、該第二のタイプのノードがレベルｉの次のレベルに対応するランダムアクセスシグナリングＭｓｇ１の再送信回数を使用してランダムアクセスシグナリングＭｓｇ１を再送信すること；
の少なくとも一つに従って実行する必要がある。
【００８６】
本実施例において、該レベルｉに対応するランダムアクセスシグナリングＭｓｇ１の送信回数の上限Ｎｉが該第一のタイプのノードによって設定され、異なるレベルに対応するＮｉ値が異なる。
【００８７】
本実施例において、該第一の条件が、第一のタイプのノードによるＭｓｇ３メッセージの復号が成功しないことである場合、第二のタイプのノードは、
再送信されたランダムアクセスシグナリングＭｓｇ１の再送信回数が該第二のタイプのノードに記述されるレベル情報によって確定されること；および
該第二のタイプのノードがレベルｉに対応するランダムアクセスシグナリングＭｓｇ１の再送信回数を使用してＭｓｇ１を再送信し、該第一のタイプのノードによるＭｓｇ３メッセージの復号が成功できない場合、該第二のタイプのノードがレベルｉの次のレベルに対応するランダムアクセスシグナリングＭｓｇ１の再送信回数を使用してＭｓｇ１を再送信し、ここで、該第二のタイプのノードの現在のレベルがレベルｉであり、該第二のタイプのノードがレベルｉにおいて再送信したランダムアクセスシグナリングＭｓｇ１の送信回数の上限がＮｉであること；
の少なくとも一つに従ってランダムアクセスシグナリングＭｓｇ１を再送信する。
【００８８】
本実施例において、第二のタイプのノードのレベルは、
カバレッジ強化レベル；
ＰＲＡＣＨチャネルカバレッジ強化レベル；および
ＰＲＡＣＨチャネル再送信レベル；のうちの少なくとも一つを含む。
【００８９】
本実施例において、該第一のノードは、
マクロセル（Ｍａｃｒｏｃｅｌｌ）基地局、マイクロセル（Ｍｉｃｒｏｃｅｌｌ）基地局、ピコセル（Ｐｉｃｏｃｅｌｌ）基地局、フェムトセル（Ｆｅｍｔｏｃｅｌｌ）基地局、ホーム基地局、低電力ノードＬＰＮ及びリレーＲｅｌａｙの少なくとも一つであり、
ここで、該第二のタイプのノードは、一つ又は複数のヒューマンツーヒューマン（Ｈ２Ｈ）通信端末、一つ又は複数のマシンツーマシン（Ｍ２Ｍ）通信端末、および一つ又は複数のデバイスツーデバイス（Ｄ２Ｄ）通信端末の少なくとも一つを含む。
【００９０】
図２は本発明の実施例によるランダムアクセスシグナリング再送信装置の構成のブロック図であり、図２に示すように、該装置は、検出モジュール２２および送信モジュール２４を含む。
【００９１】
検出モジュール２２は、第一の条件を満たしているかどうかを検出するように構成される。ここで、該第一の条件が、
該第二のタイプのノードによるランダムアクセス応答メッセージＭｓｇ２の復号が成功しないこと、
該第二のタイプのノードによるランダムアクセス応答メッセージＭｓｇ２の復号が成功し、復号されたランダムアクセス応答メッセージＭｓｇ２に該第二のタイプのノードへ送信されたランダムアクセス応答情報がないこと、
該第一のタイプのノードによるＭｓｇ３メッセージの復号が成功しないこと、
該第一のタイプのノードによるＭｓｇ３メッセージの復号が成功し、且つＭｓｇ４を該第二のタイプのノードに送信し、該第二のタイプのノードによるＭｓｇ４メッセージの復号が成功しないこと、および
該第一のタイプのノードによるＭｓｇ３メッセージの復号が成功し、且つＭｓｇ４を第二のタイプのノードに送信し、第二のタイプのノードによるＭｓｇ４メッセージの復号が成功し、該Ｍｓｇ４メッセージが該第二のタイプのノードに送信されないことのうちの少なくとも一つを含む。
【００９２】
送信モジュール２４は、該第一の条件を満たしている場合で、第二のタイプのノードがランダムアクセスシグナリングＭｓｇ１を再送信するように構成される。
【００９３】
上記装置ではユーザ端末がＬＴＥ／ＬＴＥ−ＡシステムのＭｓｇ１、Ｍｓｇ２、Ｍｓｇ３とＭｓｇ４に対して強化設計を行うことにより、ＭＴＣ  ＵＥが正常にシステムにアクセスできることを保証し、ユーザ端末がＬＴＥ／ＬＴＥ−Ａシステムにアクセスするアクセス品質が高くないという問題を解決し、ユーザ端末がＬＴＥ／ＬＴＥ−Ａシステムのアクセス品質を向上させる。
【００９４】
本実施例において、該第一の条件が、該第二のタイプのノードによるランダムアクセス応答メッセージＭｓｇ２の復号が成功せず、且つ該ランダムアクセス応答メッセージＭｓｇ２が第一のタイプのランダムアクセス応答メッセージＭｓｇ２に属することである場合、該送信モジュール２４は、
再送信されたランダムアクセスシグナリングＭｓｇ１の再送信回数が該第二のタイプのノードのレベル情報によって確定されること；
該第二のタイプのノードのレベル情報が変化しない場合、再送信されたランダムアクセスシグナリングＭｓｇ１の再送信回数が前回の送信する場合の再送信回数と同じであること；
該第二のタイプのノードの現在のレベルがレベルｉであり、該第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さい場合、該第二のタイプのノードがランダムアクセスシグナリングＭｓｇ１を再送信する方式が、該第二のタイプのノードがレベルｉに対応するランダムアクセスシグナリングＭｓｇ1の再送信回数を使用し続けてランダムアクセスシグナリングＭｓｇ1を再送信すること、該第二のタイプのノードが前記ランダムアクセスシグナリングＭｓｇ１を再送信するための送信電力を向上すること、および該第二のタイプのノードがランダムアクセスシグナリングＭｓｇ１を再送信する送信時間指示情報がＫ１とすることのうちの少なくとも一つを含むこと；
該第二のタイプのノードの現在のレベルがレベルｉであり、該第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ該第二のタイプのノードが該ランダムアクセスシグナリングＭｓｇ１の送信電力を向上できない場合、該第二のタイプのノードがランダムアクセスシグナリングＭｓｇ１を再送信する方式が、該第二のタイプのノードがレベルｉに対応するランダムアクセスシグナリングＭｓｇ１の再送信回数を使用し続けてランダムアクセスシグナリングＭｓｇ１を再送信すること、および該第二のタイプのノードがランダムアクセスシグナリングＭｓｇ１を再送信する送信時間指示情報がＫ２とすることのうちの少なくとも一つを含むこと；
該第二のタイプのノードの現在のレベルがレベルｉであり、且つ該第二のタイプのノードが該ランダムアクセスシグナリングＭｓｇ１の送信電力を向上できない場合、該Ｎｉ＝１とすること；および
該第二のタイプのノードの現在のレベルがレベルｉであり、該第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、該第二のタイプのノードがランダムアクセスシグナリングＭｓｇ１を再送信する方式が、該第二のタイプのノードがレベルｉの次のレベルに対応するランダムアクセスシグナリングＭｓｇ１の再送信回数を使用してランダムアクセスシグナリングを再送信すること、および該第二のタイプのノードがランダムアクセスシグナリングＭｓｇ１を再送信する送信時間指示情報がＫ０とすることのうちの少なくとも一つを含むこと；
の少なくとも一つに従ってランダムアクセスシグナリングＭｓｇ１を再送信する。
【００９５】
ここで、該ランダムアクセスシグナリングＭｓｇ１を再送信する送信時間指示情報は、ランダムアクセスシグナリングＭｓｇ１の再送信と前回のランダムアクセス応答メッセージＭｓｇ２の検出ウィンドウ終了時点との間の時間間隔を意味する。
【００９６】
該第一のタイプのランダムアクセス応答メッセージＭｓｇ２は、該ランダムアクセス応答メッセージＭｓｇ２に同じレベルの該第二のタイプのノードのランダムアクセス応答情報が含まれることを意味する。
【００９７】
本実施例において、該Ｋ０、該Ｋ１および該Ｋ２の間は、Ｋ０≦Ｋ１≦Ｋ２の条件を満たす。
【００９８】
本実施例において、該レベルｉに対応するランダムアクセスシグナリングＭｓｇ１の送信回数の上限Ｎｉが該第一のタイプのノードによって設定され、異なるレベルに対応するＮｉ値が異なる。
【００９９】
本実施例において、該第一の条件が、第二のタイプのノードによるランダムアクセス応答メッセージＭｓｇ２の復号が成功したが、該第二のタイプのノードへ送信されたランダムアクセス応答情報がなく、且つ該ランダムアクセス応答メッセージＭｓｇ２が第一のタイプのランダムアクセス応答メッセージＭｓｇ２に属することである場合、該送信モジュール２４は、
再送信されたランダムアクセスシグナリングＭｓｇ１の再送信回数が該第二のタイプのノードのレベル情報によって確定されること；
該第二のタイプのノードのレベル情報が変化しない場合、再送信されたランダムアクセスシグナリングＭｓｇ１の再送信回数が前回の送信する場合の再送信回数と同じであること；
該第二のタイプのノードの現在のレベルがレベルｉであり、該第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さい場合、該第二のタイプのノードがランダムアクセスシグナリングＭｓｇ１を再送信する方式が、該第二のタイプのノードがレベルｉに対応するランダムアクセスシグナリングＭｓｇ１の再送信回数を使用し続けてランダムアクセスシグナリングＭｓｇ１を再送信し、該第二のタイプのノードが該ランダムアクセスシグナリングＭｓｇ１を再送信するための送信電力を向上すること、および該第二のタイプのノードがランダムアクセスシグナリングＭｓｇ１を再送信する送信時間指示情報がＭ１とすることのうちの少なくとも一つを含むこと；
該第二のタイプのノードの現在のレベルがレベルｉであり、該第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ該第二のタイプのノードがランダムアクセスシグナリングＭｓｇ１の送信電力を向上できない場合、該第二のタイプのノードがランダムアクセスシグナリングＭｓｇ１を再送信する方式が、該第二のタイプのノードがレベルｉに対応するランダムアクセスシグナリングＭｓｇ１の再送信回数を使用し続けてランダムアクセスシグナリングＭｓｇ１を再送信すること、および該第二のタイプのノードがランダムアクセスシグナリングＭｓｇ１を再送信する送信時間指示情報がＭ２とすることのうちの少なくとも一つを含むこと；および
該第二のタイプのノードの現在のレベルがレベルｉであり、該第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、該第二のタイプのノードがランダムアクセスシグナリングＭｓｇ１を再送信する方式が、該第二のタイプのノードがレベルｉの次のレベルに対応するランダムアクセスシグナリングＭｓｇ１の再送信回数を使用してランダムアクセスシグナリングを再送信すること、および該第二のタイプのノードがランダムアクセスシグナリングＭｓｇ１を再送信する送信時間指示情報がＭ０とすることのうちの少なくとも一つを含むこと；
の少なくとも一つに従ってランダムアクセスシグナリングＭｓｇｌを再送信する。
【０１００】
ここで、該第二のタイプのランダムアクセス応答メッセージは、ランダムアクセス応答メッセージに同じレベルの該第二のタイプのノードのランダムアクセス応答情報のみが含まれることを意味する。
【０１０１】
該ランダムアクセスシグナリングＭｓｇ１を再送信する送信時間指示情報は、ランダムアクセスシグナリングの再送信と前回のランダムアクセス応答メッセージＭｓｇ２の検出ウィンドウ終了時点との間の時間間隔を意味する。
【０１０２】
本実施例において、該Ｍ０、該Ｍ１および該Ｍ２の間は、Ｍ０≦Ｍ１≦Ｍ２の条件を満たす。
【０１０３】
本実施例において、該レベルｉに対応するランダムアクセスシグナリングＭｓｇ１の送信回数の上限Ｎｉが該第一のタイプのノードによって設定され、異なるレベルに対応するＮｉ値が異なる。
【０１０４】
本実施例において、該Ｋ０、該Ｋ１、該Ｋ２、該Ｍ０、該Ｍ１および該Ｍ２の間は、Ｋ０≦Ｍ０；Ｋ１≦Ｍ１；およびＫ２≦Ｍ２の条件のうちの少なくとも一つを満たす。
【０１０５】
本実施例において、該第一の条件が、該第二のタイプのノードによるランダムアクセス応答メッセージＭｓｇ２の復号が成功せず、且つ該第二のタイプのノードが本レベルのランダムアクセス応答メッセージＭｓｇ２のみを復号し、且つ該ランダムアクセス応答メッセージＭｓｇ２が第二のタイプのランダムアクセス応答メッセージＭｓｇ２に属することである場合、該送信モジュール２４は、
再送信されたランダムアクセスシグナリングＭｓｇ１の再送信回数が該第二のタイプのノードのレベル情報によって確定されること；
該第二のタイプのノードのレベル情報が変化しない場合、再送信されたランダムアクセスシグナリングＭｓｇ１の再送信回数が前回の送信する場合の再送信回数と同じであること；
該第二のタイプのノードの現在のレベルがレベルｉであり、該第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さい場合、該第二のタイプのノードがランダムアクセスシグナリングＭｓｇ１を再送信する方式が、該第二のタイプのノードがレベルｉに対応するランダムアクセスシグナリングＭｓｇ１の再送信回数を使用し続けてランダムアクセスシグナリングＭｓｇ１を再送信すること、該第二のタイプのノードが前記ランダムアクセスシグナリングＭｓｇ１を再送信するための送信電力を向上すること、および該第二のタイプのノードがランダムアクセスシグナリングＭｓｇ１を再送信する送信時間指示情報がＰ(ｉ)_１とし、ｉが該レベルインデックスであり、レベルｉに対応することのうちの少なくとも一つを含むこと；
該第二のタイプのノードの現在のレベルがレベルｉであり、該第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ該第二のタイプのノードが該ランダムアクセスシグナリングＭｓｇ１の送信電力を向上できない場合、該第二のタイプのノードがランダムアクセスシグナリングＭｓｇ１を再送信する方式が、該第二のタイプのノードがレベルｉに対応するランダムアクセスシグナリングＭｓｇ１の再送信回数を使用し続けてランダムアクセスシグナリングＭｓｇ１を再送信すること、および該第二のタイプのノードがランダムアクセスシグナリングＭｓｇ１を再送信する送信時間指示情報がＰ(ｉ)_２とすることのうちの少なくとも一つを含むこと；
該第二のタイプのノードの現在のレベルがレベルｉであり、該第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、該第二のタイプのノードがランダムアクセスシグナリングＭｓｇ１を再送信する方式が、前記第二のタイプのノードがレベルｉの次のレベルに対応するランダムアクセスシグナリングＭｓｇ１の再送信回数を使用してランダムアクセスシグナリングＭｓｇ１を再送信すること、および該第二のタイプのノードがランダムアクセスシグナリングＭｓｇ１を再送信する送信時間指示情報がＰ(ｉ)_０とすることのうちの少なくとも一つを含むこと；
以下の少なくとも一つに従ってランダムアクセスシグナリングＭｓｇ１を再送信する。
【０１０６】
ここで、該第二のタイプのランダムアクセス応答メッセージＭｓｇ２は、ランダムアクセス応答メッセージＭｓｇ２に一つ又は複数のレベルの該第二のタイプのノードのランダムアクセス応答情報のみが含まれることを意味する。
【０１０７】
該ランダムアクセスシグナリングＭｓｇ１を再送信する送信時間指示情報は、ランダムアクセスシグナリングＭｓｇ1の再送信と前回のランダムアクセス応答メッセージＭｓｇ２の検出ウィンドウ終了時点との間の時間間隔を意味する。
【０１０８】
本実施例において、該Ｐ(ｉ)_０、該Ｐ(ｉ)_１および該Ｐ(ｉ)_２の間は、Ｐ(ｉ)_０≦Ｐ(ｉ)１≦Ｐ(ｉ)_２の条件を満たす。
【０１０９】
本実施例において、該レベルｉに対応するランダムアクセスシグナリングＭｓｇ１の送信回数の上限Ｎｉが該第一のタイプのノードによって設定され、異なるレベルに対応するＮｉ値が異なる。
【０１１０】
本実施例において、該第一の条件が、第二のタイプのノードによる該第二のタイプのノードレベルのランダムアクセス応答メッセージＭｓｇ２の復号が成功せず、第二のタイプのノードによる該第二のタイプのノードのレベルより高いランダムアクセス応答メッセージＭｓｇ２の復号が成功せず、且つ該ランダムアクセス応答メッセージＭｓｇ２が第二のタイプのランダムアクセス応答メッセージＭｓｇ２に属することである場合、該送信モジュール２４は、
再送信されたランダムアクセスシグナリングの再送信回数が該第二のタイプのノードにより選択された新しいレベル情報によって確定されること；
該新しいレベルが第二のタイプのノードにより復号されたランダムアクセス応答メッセージＭｓｇ２の最高レベルの次のレベルであること；および
該第二のタイプにより復号されたランダムアクセス応答メッセージＭｓｇ２の最高レベルのインデックス情報が該第一のタイプのノードによって該第二のタイプのノードに送信されること；
該第二のタイプのランダムアクセス応答メッセージＭｓｇ２が、ランダムアクセス応答メッセージＭｓｇ２に一つ又は複数のレベルの前記第二のタイプのノードのランダムアクセス応答情報のみが含まれることを意味すること；
の少なくとも一つに従ってランダムアクセスシグナリングＭｓｇ１を再送信する。
【０１１１】
本実施例において、該第一の条件が、第二のタイプのノードによる該第二のタイプのノードレベルのランダムアクセス応答メッセージＭｓｇ２の復号が成功せず、該第二のタイプのノードによる該第二のタイプのノードレベルより高いランダムアクセス応答メッセージＭｓｇ２の復号が成功し、且つ該ランダムアクセス応答メッセージＭｓｇ２が第二のタイプのランダムアクセス応答メッセージＭｓｇ２に属することである場合、該送信モジュール２４は、
再送信されたランダムアクセスシグナリングＭｓｇ１の再送信回数が該第二のタイプのノードにより選択された新しいレベル情報によって確定され、ここで、該新しいレベルが第二のタイプのノードによるランダムアクセス応答メッセージＭｓｇ２の復号の成功に対応するレベルであること、
該第二のタイプのランダムアクセス応答メッセージＭｓｇ２が、ランダムアクセス応答メッセージＭｓｇ２に一つ又は複数のレベルの該第二のタイプのノードのランダムアクセス応答情報のみが含まれることを意味すること；
の少なくとも一つに従ってランダムアクセスシグナリングＭｓｇ１を再送信する。
【０１１２】
本実施例において、該第一の条件が、第一のタイプのノードによるＭｓｇ３メッセージの復号が成功し、且つＭｓｇ４を第二のタイプのノードに送信し、第二のタイプのノードによるＭｓｇ４の復号が成功しないことである場合、該送信モジュール２４は、
再送信されたランダムアクセスシグナリングＭｓｇ１の再送信回数が該第二のタイプのノードに記述されるレベル情報によって確定されること；
該第二のタイプのノードの現在のレベルがレベルｉであり、該第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ該第二のタイプのノードが該ランダムアクセスシグナリングＭｓｇ１の送信電力を向上できる場合、該ランダムアクセスシグナリングの送信電力を向上させないこと；および
該第二のタイプのノードの現在のレベルがレベルｉであり、該第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、該第二のタイプのノードがレベルｉの次のレベルに対応するランダムアクセスシグナリングＭｓｇ１の再送信回数を使用してランダムアクセスシグナリングＭｓｇ１を再送信すること；
の少なくとも一つに従ってランダムアクセスシグナリングＭｓｇ１を再送信する。
【０１１３】
本実施例において、該第二のタイプのノードがＭｓｇ３で、
Ｍｓｇ４の再送信回数を増加するように第一のタイプのノードに指示するための指示情報；
第一のタイプのノードによるＭｓｇ４の再送信回数の増分情報；および
第一のタイプのノードによるＭｓｇ４の再送信回数；
の少なくとも一つの情報を送信する。
【０１１４】
本実施例において、該レベルｉに対応するランダムアクセスシグナリングＭｓｇ１の送信回数の上限Ｎｉが該第一のタイプのノードによって設定され、異なるレベルに対応するＮｉ値が異なる。
【０１１５】
本実施例において、該第一の条件が、第一のタイプのノードによるＭｓｇ３メッセージの復号が成功し、且つＭｓｇ４を第二のタイプのノードに送信し、第二のタイプのノードによるＭｓｇ４メッセージの復号が成功し、該第二のタイプのノードに送信しないことである場合、該送信モジュール２４は、ランダムアクセスシグナリングＭｓｇ１を再送信するために、
再送信されたランダムアクセスシグナリングＭｓｇ１の再送信回数が該第二のタイプのノードに記述されるレベル情報によって確定されること；
該第二のタイプのノードの現在のレベルがレベルｉであり、該第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ該第二のタイプのノードが該ランダムアクセスシグナリングの送信電力を向上できる場合、該ランダムアクセスシグナリングの送信電力を向上させないこと；および
該第二のタイプのノードの現在のレベルがレベルｉであり、該第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、該第二のタイプのノードがレベルｉの次のレベルに対応するランダムアクセスシグナリングＭｓｇ１の再送信回数を使用してランダムアクセスシグナリングＭｓｇ１を再送信すること；
の少なくとも一つに従って実行される必要がある。
【０１１６】
本実施例において、該レベルｉに対応するランダムアクセスシグナリングＭｓｇ１の送信回数の上限Ｎｉが該第一のタイプのノードによって設定され、異なるレベルに対応するＮｉ値が異なる。
【０１１７】
本実施例において、該第一の条件が、第一のタイプのノードによるＭｓｇ３メッセージの復号が成功しないことである場合、該送信モジュール２４は、
再送信されたランダムアクセスシグナリングＭｓｇ１の再送信回数が該第二のタイプのノードに記述されるレベル情報によって確定されること；および
該第二のタイプのノードがレベルｉに対応するランダムアクセスシグナリングＭｓｇ１の再送信回数を使用してＭｓｇ１を再送信し、該第一のタイプのノードによるＭｓｇ３メッセージの復号が成功できない場合、該第二のタイプのノードがレベルｉの次のレベルに対応するランダムアクセスシグナリングＭｓｇ１の再送信回数を使用してＭｓｇ１を再送信し、ここで、該第二のタイプのノードの現在のレベルがレベルｉであり、該第二のタイプのノードがレベルｉにおいて再送信したランダムアクセスシグナリングＭｓｇ１の送信回数の上限がＮｉであること；
の少なくとも一つに従ってランダムアクセスシグナリングＭｓｇ１を再送信する。
【０１１８】
本実施例において、第二のタイプのノードのレベルは、
カバレッジ強化レベル、
ＰＲＡＣＨチャネルカバレッジ強化レベル、および
ＰＲＡＣＨチャネル再送信レベルのうちの少なくとも一つを含む。
【０１１９】
本発明の実施例において、該第一のノードは、
マクロセル（Ｍａｃｒｏｃｅｌｌ）基地局、マイクロセル（Ｍｉｃｒｏｃｅｌｌ）基地局、ピコセル（Ｐｉｃｏｃｅｌｌ）基地局、フェムトセル（Ｆｅｍｔｏｃｅｌｌ）基地局、ホーム基地局、低電力ノードＬＰＮ及びリレーＲｅｌａｙの少なくとも一つである。
【０１２０】
ここで、該第二のタイプのノードは、一つ又は複数のヒューマンツーヒューマン（Ｈ２Ｈ）通信端末、一つ又は複数のマシンツーマシン（Ｍ２Ｍ）通信端末、および一つ又は複数のデバイスツーデバイス（Ｄ２Ｄ）通信端末の少なくとも一つを含む。
【０１２１】
以下に好ましい実施例及び実施形態と組み合わせて本発明を詳しく説明する。
【０１２２】
実施例１：
ＬＴＥシステムにおいてＭＴＣ  ＵＥｓが存在し、且つＭＴＣ  ＵＥｓはカバレッジ強化（ＣＥ：Ｃｏｖｅｒａｇｅ  Ｅｎｈａｎｃｅｍｅｎｔ）をサポートすることができる。本実施例において、Ｍｓｇ１は合計３つのカバレッジ強化レベル（ＣＥＬ：Ｃｏｖｅｒａｇｅ  Ｅｎｈａｎｃｅｍｅｎｔ  ｌｅｖｅｌ）、即ちＣＥＬ０、ＣＥＬ１とＣＥＬ２をサポートする。且つＵＥ１、ＵＥ２はＣＥＬ０のＭＴＣ  ＵＥである。基地局（ｅＮＢ）は各ＣＥＬのＭＴＣ  ＵＥにＰＲＡＣＨリソースを割り当て、ランダムアクセスシグナリングを送信するために使用されるランダムアクセスシーケンス（Ｐｒｅａｍｂｌｅ）及びＰｒｅａｍｂｌｅを送信するために使用されるサブフレーム（Ｓｕｂｆｒａｍｅ）及び物理リソースブロック（ＰＲＢ）を含む。異なるＣＥＬに対応するＭｓｇ１の再送信回数は異なり、ＵＥ１、ＵＥ２はｅＮＢの配置情報に従ってＣＥＬ０のＰＲＡＣＨチャネルでランダムアクセスシグナリング（Ｍｓｇ１）を送信する。
【０１２３】
ｅＮＢがＭｓｇ２メッセージを送信してＣＥＬ０レベルのＭｓｇ１メッセージに応答するが、Ｍｓｇ２にＵＥ２のランダムアクセス応答情報のみが含まれ、ＵＥ１から送信されたＭｓｇ１がｅＮＢに検出されることが成功しないため、ｅＮＢはＭｓｇ２でランダムアクセス応答情報をＵＥ１に送信しない。
【０１２４】
本実施例において、ＵＥ１によるＭｓｇ２の復号が成功しない場合、ＵＥ１は、
再送信されたランダムアクセスシグナリングの再送信回数がＵＥ１のＣＥＬレベル情報によって確定されること；
ＵＥ１のＣＥＬが変化しない場合、再送信されたランダムアクセスシグナリングの再送信回数が前回の送信する場合の再送信回数と同じであること；
ＵＥ１のＣＥＬがＣＥＬ０である場合、ＵＥ１がランダムアクセスシグナリングを再送信する回数が、ＣＥＬ０に対応するランダムアクセスシグナリング送信回数の上限より小さく、且つＵＥ１が前記ランダムアクセスシグナリングの送信電力を向上できる場合、ＵＥ１はＣＥＬ０に対応するランダムアクセスシグナリングの再送信回数を使用し続けてランダムアクセスシグナリングを再送信し、且つランダムアクセスシグナリングの送信電力を向上させ、前記ランダムアクセスシグナリングを再送信する前記送信時間指示情報がＫ１とすること；
ＵＥ１のＣＥＬがＣＥＬ０である場合、ＵＥ１がランダムアクセスシグナリングを再送信する回数が、ＣＥＬ０に対応するランダムアクセスシグナリング再送信回数の上限より小さく、且つＵＥ１が前記ランダムアクセスシグナリングの送信電力を向上できない場合、ＵＥ１がＣＥＬ０に対応するランダムアクセスシグナリングの再送信回数を使用してランダムアクセスシグナリングを再送信し、前記ランダムアクセスシグナリングを再送信する送信時間指示情報がＫ２とすること；
ＵＥ１のＣＥＬがＣＥＬ０である場合、ＵＥ１がランダムアクセスシグナリングを再送信する回数が、ＣＥＬ０に対応するランダムアクセスシグナリング送信回数の上限以上である場合、ＵＥ１がＣＥＬ１に対応するランダムアクセスシグナリングの再送信回数を使用してランダムアクセスシグナリングを再送信し、前記ランダムアクセスシグナリングを再送信する前記送信時間指示情報がＫ０とすること；
の少なくとも一つに従ってランダムアクセスシグナリングを送信する。
【０１２５】
ここで、ランダムアクセスシグナリングを再送信する前記送信時間指示情報は、ランダムアクセスシグナリングの再送信と前回のランダムアクセス応答メッセージの検出ウィンドウ終了時点との間の時間間隔を意味し、
ここで、Ｋ０≦Ｋ１≦Ｋ２である。
【０１２６】
実施例２：
ＬＴＥシステムにおいてＭＴＣ  ＵＥｓが存在し、且つＭＴＣ  ＵＥｓはカバレッジ強化（ＣＥ：Ｃｏｖｅｒａｇｅ  Ｅｎｈａｎｃｅｍｅｎｔ）をサポートすることができる。本実施例において、Ｍｓｇ１は合計３つのカバレッジ強化レベル（ＣＥＬ：Ｃｏｖｅｒａｇｅ  Ｅｎｈａｎｃｅｍｅｎｔ  ｌｅｖｅｌ）、即ちＣＥＬ０、ＣＥＬ１とＣＥＬ２をサポートする。且つＵＥ１、ＵＥ２、ＵＥ３はＣＥＬ０のＭＴＣ  ＵＥである。基地局（ｅＮＢ）は各ＣＥＬのＭＴＣ  ＵＥにＰＲＡＣＨリソースを割り当て、ランダムアクセスシグナリングを送信するために使用されるランダムアクセスシーケンス（Ｐｒｅａｍｂｌｅ）及びＰｒｅａｍｂｌｅを送信するために使用されるサブフレーム（Ｓｕｂｆｒａｍｅ）及び物理リソースブロック（ＰＲＢ）を含む。異なるＣＥＬに対応するＭｓｇ１の再送信回数は異なり、ＵＥ１、ＵＥ２、ＵＥ３はｅＮＢの配置情報に従ってＣＥＬ０のＰＲＡＣＨチャネルでランダムアクセスシグナリング（Ｍｓｇ１）を送信する。
【０１２７】
ｅＮＢがＭｓｇ２メッセージを送信してＣＥＬ０レベルのＭｓｇ１メッセージに応答するが、Ｍｓｇ２にＵＥ２のランダムアクセス応答情報のみが含まれる。
【０１２８】
本実施例において、ＵＥ１によるＭｓｇ２の復号が成功しない場合、ＵＥ１は、
再送信されたランダムアクセスシグナリングの再送信回数がＵＥ１のＣＥＬレベル情報によって確定されること；
ＵＥ１のＣＥＬが変化しない場合、再送信されたランダムアクセスシグナリングの再送信回数が前回の送信する場合の再送信回数と同じであること；
ＵＥ１のＣＥＬがＣＥＬ０である場合、ＵＥ１がランダムアクセスシグナリングを再送信する回数がＣＥＬ０に対応するランダムアクセスシグナリング送信回数の上限より小さく、且つＵＥ１が前記ランダムアクセスシグナリングの送信電力を向上できる場合、ＵＥ１がＣＥＬ０に対応するランダムアクセスシグナリングの再送信回数を使用し続けてランダムアクセスシグナリングを再送信し、且つランダムアクセスシグナリングの送信電力を向上させ、ランダムアクセスシグナリングを再送信する前記送信時間指示情報がＫ１とすること；
ＵＥ１のＣＥＬがＣＥＬ０である場合、ＵＥ１がランダムアクセスシグナリングを再送信する回数がＣＥＬ０に対応するランダムアクセスシグナリング再送信回数の上限より小さく、且つＵＥ１が前記ランダムアクセスシグナリングの送信電力を向上できない場合、ＵＥ１がＣＥＬ０に対応するランダムアクセスシグナリングの再送信回数を使用し続けてランダムアクセスシグナリングを再送信し、ランダムアクセスシグナリングを再送信する前記送信時間指示情報がＫ２とすること；および
ＵＥ１のＣＥＬがＣＥＬ０である場合、ＵＥ１がランダムアクセスシグナリングを再送信する回数がＣＥＬ０に対応するランダムアクセスシグナリング送信回数の上限以上である場合、ＵＥ１がＣＥＬ１に対応するランダムアクセスシグナリングの再送信回数を使用してランダムアクセスシグナリングを再送信し、ランダムアクセスシグナリングを再送信する前記送信時間指示情報がＫ０とすること；
の少なくとも一つに従ってランダムアクセスシグナリングを送信する。
【０１２９】
ここで、ランダムアクセスシグナリングを再送信する前記送信時間指示情報は、ランダムアクセスシグナリングの再送信と前回のランダムアクセス応答メッセージの検出ウィンドウ終了時点との間の時間間隔を意味し、
ここで、Ｋ０≦Ｋ１≦Ｋ２である。
【０１３０】
本実施例において、ＵＥ３によるＭｓｇ２の復号が成功したが、その中にＵＥ３に送信されるランダムアクセス応答情報がない場合、ＵＥ３は、
再送信されたランダムアクセスシグナリングの再送信回数がＵＥ３のＣＥＬレベル情報によって確定されること；
ＵＥ３のＣＥＬが変化しない場合、再送信されたランダムアクセスシグナリングの再送信回数が前回の送信する場合の再送信回数と同じであること；
ＵＥ３のＣＥＬがＣＥＬ０である場合、ＵＥ３がランダムアクセスシグナリングを再送信する回数がＣＥＬ０に対応するランダムアクセスシグナリング送信回数の上限より小さく、且つＵＥ１が前記ランダムアクセスシグナリングの送信電力を向上できる場合、ＵＥ３がＣＥＬ０に対応するランダムアクセスシグナリングの再送信回数を使用し続けてランダムアクセスシグナリングを再送信し、且つランダムアクセスシグナリングの送信電力を向上させ、ランダムアクセスシグナリングを再送信する前記送信時間指示情報がＫ１とすること；
ＵＥ３のＣＥＬがＣＥＬ０である場合、ＵＥ３がランダムアクセスシグナリングを再送信する回数がＣＥＬ０に対応するランダムアクセスシグナリング送信回数の上限より小さく、且つＵＥ３が前記ランダムアクセスシグナリングの送信電力を向上できない場合、ＵＥ３がＣＥＬ０に対応するランダムアクセスシグナリングの再送信回数を使用し続けてランダムアクセスシグナリングを再送信し、ランダムアクセスシグナリングを再送信する前記送信時間指示情報がＫ２とすること；および
ＵＥ３のＣＥＬがＣＥＬ０である場合、ＵＥ３がランダムアクセスシグナリングを再送信する回数がＣＥＬ０に対応するランダムアクセスシグナリング送信回数の上限以上である場合、ＵＥ３はＣＥＬ１に対応するランダムアクセスシグナリングの再送信回数を使用してランダムアクセスシグナリングを再送信し、ランダムアクセスシグナリングを再送信する前記送信時間指示情報がＫ０とすること；
の少なくとも一つに従ってランダムアクセスシグナリングを再送信する。
【０１３１】
ここで、ランダムアクセスシグナリングを再送信する前記送信時間指示情報は、ランダムアクセスシグナリングの再送信と前回のランダムアクセス応答メッセージの検出ウィンドウ終了時点との間の時間間隔を意味し、
ここで、Ｍ０≦Ｍ１≦Ｍ２であり、
ここで、Ｋ０、Ｋ１、Ｋ２、Ｍ０、Ｍ１、およびＭ２の間は、Ｋ０≦Ｍ０；Ｋ１≦Ｍ１；およびＫ２≦Ｍ２の条件のうちの少なくとも一つを満たす。
【０１３２】
実施例３：
ＬＴＥシステムにおいてＭＴＣ  ＵＥｓが存在し、且つＭＴＣ  ＵＥｓはカバレッジ強化（ＣＥ：Ｃｏｖｅｒａｇｅ  Ｅｎｈａｎｃｅｍｅｎｔ）をサポートすることができる。本実施例において、Ｍｓｇ１は合計３つのカバレッジ強化レベル（ＣＥＬ：Ｃｏｖｅｒａｇｅ  Ｅｎｈａｎｃｅｍｅｎｔ  ｌｅｖｅｌ）、即ちＣＥＬ０、ＣＥＬ１とＣＥＬ２をサポートする。且つＵＥ１、ＵＥ２、ＵＥ３はＣＥＬ０のＭＴＣ  ＵＥであり、ＵＥ４はＣＥＬ１のＭＴＣ  ＵＥである。基地局（ｅＮＢ）は各ＣＥＬのＭＴＣ  ＵＥにＰＲＡＣＨリソースを割り当て、ランダムアクセスシグナリングを送信するために使用されるランダムアクセスシーケンス（Ｐｒｅａｍｂｌｅ）及びＰｒｅａｍｂｌｅを送信するために使用されるサブフレーム（Ｓｕｂｆｒａｍｅ）及び物理リソースブロック（ＰＲＢ）を含む。異なるＣＥＬに対応するＭｓｇ１の再送信回数は異なり、ＵＥ１、ＵＥ２、ＵＥ３はｅＮＢの配置情報に従ってＣＥＬ０のＰＲＡＣＨチャネルでランダムアクセスシグナリング（Ｍｓｇ１）を送信し、ＵＥ４はｅＮＢの配置情報に従ってＣＥＬ１のＰＲＡＣＨチャネルでランダムアクセスシグナリング（Ｍｓｇ１）を送信する。
【０１３３】
ｅＮＢがＭｓｇ２メッセージを送信してＣＥＬ０レベルとＣＥＬ１レベルのＭｓｇ１メッセージに応答し、且つＭｓｇ２にＵＥ３、ＵＥ４のランダムアクセス応答情報が含まれ、且つＭｓｇ２はＣＥＬ１レベルに対応する再送信回数に従って送信される。
【０１３４】
本実施例において、ＵＥ１はＣＥＬ０レベルに対応する再送信回数のＭｓｇ２メッセージの復号のみを試みるが、ＵＥ１によるＭｓｇ２の復号が成功しない場合、ＵＥ１は、
再送信されたランダムアクセスシグナリングの再送信回数がＵＥ１のＣＥＬレベル情報によって確定されること；
ＵＥ１のＣＥＬが変化しない場合、再送信されたランダムアクセスシグナリングの再送信回数が前回の送信する場合の再送信回数と同じであること；
ＵＥ１のＣＥＬがＣＥＬ０である場合、ＵＥ１がランダムアクセスシグナリングを再送信する回数がＣＥＬ０に対応するランダムアクセスシグナリング送信回数の上限より小さく、且つＵＥ１が前記ランダムアクセスシグナリングの送信電力を向上できる場合、ＵＥ１はＣＥＬ０に対応するランダムアクセスシグナリングの再送信回数を使用し続けてランダムアクセスシグナリングを再送信し、且つランダムアクセスシグナリングの送信電力を向上させ、ランダムアクセスシグナリングを再送信する送信時間指示情報がＫ１とすること；
ＵＥ１のＣＥＬがＣＥＬ０である場合、ＵＥ１がランダムアクセスシグナリングを再送信する回数がＣＥＬ０に対応するランダムアクセスシグナリング再送信回数の上限より小さく、且つＵＥ１がランダムアクセスシグナリングの送信電力を向上できない場合、ＵＥ１がＣＥＬ０に対応するランダムアクセスシグナリングの再送信回数を使用し続けてランダムアクセスシグナリングを再送信し、ランダムアクセスシグナリングを再送信する前記送信時間指示情報がＫ２とすること；および
ＵＥ１のＣＥＬがＣＥＬ０である場合、ＵＥ１がランダムアクセスシグナリングを再送信する回数がＣＥＬ０に対応するランダムアクセスシグナリング送信回数の上限以上である場合、ＵＥ１がＣＥＬ１に対応するランダムアクセスシグナリングの再送信回数を使用してランダムアクセスシグナリングを再送信し、ランダムアクセスシグナリングを再送信する前記送信時間指示情報がＫ０とすること；
の少なくとも一つに従ってランダムアクセスシグナリングを送信する。
【０１３５】
ここで、ランダムアクセスシグナリングを再送信する前記送信時間指示情報は、ランダムアクセスシグナリングの再送信と前回のランダムアクセス応答メッセージの検出ウィンドウ終了時点との間の時間間隔を意味し、
ここで、Ｋ０≦Ｋ１≦Ｋ２である。
【０１３６】
本実施例において、ＵＥ２はＣＥＬ０、ＣＥＬ１レベルに対応する再送信回数のＭｓｇ２メッセージの復号を試み、且つＵＥ１においてＭｓｇ２の復号が成功したが、Ｍｓｇ２にＵＥ２に送信されたランダムアクセス応答情報がない場合、ＵＥ２は、
ＵＥ２によって再送信されるランダムアクセスシグナリングの再送信回数がＣＥＬ１レベルによって確定されること；
に従ってランダムアクセスシグナリングを再送信する。
【０１３７】
本実施例において、ＵＥ３がＣＥＬ０、ＣＥＬ１レベルに対応する再送信回数のＭｓｇ２メッセージの復号を試み、ＣＥＬ０においてＭｓｇ２の復号が成功せず、ＣＥＬ１レベルにＭｓｇ２の復号が成功し、且つＭｓｇ２にＵＥ３に送信されたランダムアクセス応答情報が含まれる場合、ＵＥ２はＭｓｇ３で、
ＣＥＬ１に従ってＭｓｇ４を送信するようにｅＮＢに指示するための情報；
Ｍｓｇ４を送信するようにｅＮＢに指示する再送信回数のＣＥＬ０に対応する回数に対する増分情報；および
Ｍｓｇ４を送信するようにｅＮＢに指示する再送信回数；
の少なくとも一つの情報を送信する。
【０１３８】
実施例４：
ＬＴＥシステムにおいてＭＴＣ  ＵＥｓが存在し、且つＭＴＣ  ＵＥｓはカバレッジ強化（ＣＥ：Ｃｏｖｅｒａｇｅ  Ｅｎｈａｎｃｅｍｅｎｔ）をサポートすることができる。本実施例において、Ｍｓｇ１は合計３つのカバレッジ強化レベル（ＣＥＬ：Ｃｏｖｅｒａｇｅ  Ｅｎｈａｎｃｅｍｅｎｔ  ｌｅｖｅｌ）、即ちＣＥＬ０、ＣＥＬ１とＣＥＬ２をサポートする。且つＵＥ１はＣＥＬ０のＭＴＣ  ＵＥであり、ＵＥ２はＣＥＬ１のＭＴＣ  ＵＥである。基地局（ｅＮＢ）は各ＣＥＬのＭＴＣ  ＵＥにＰＲＡＣＨリソースを割り当て、ランダムアクセスシグナリングを送信するために使用されるランダムアクセスシーケンス（Ｐｒｅａｍｂｌｅ）及びＰｒｅａｍｂｌｅを送信するために使用されるサブフレーム（Ｓｕｂｆｒａｍｅ）及び物理リソースブロック（ＰＲＢ）を含む。異なるＣＥＬに対応するＭｓｇ１の再送信回数は異なり、ＵＥ１はｅＮＢの配置情報に従ってＣＥＬ０のＰＲＡＣＨチャネルでランダムアクセスシグナリング（Ｍｓｇ１）を送信し、ＵＥ２はｅＮＢの配置情報に従ってＣＥＬ１のＰＲＡＣＨチャネルでランダムアクセスシグナリング（Ｍｓｇ１）を送信する。
【０１３９】
ｅＮＢがＭｓｇ２メッセージを送信してＵＥ１とＵＥ２から送信されたＭｓｇ１メッセージに応答し、且つＵＥ１とＵＥ２が自体に送信されたランダムアクセス応答情報を正確に復号した場合、ＵＥ１とＵＥ２はそれぞれＭｓｇ３メッセージをｅＮＢに送信する。
【０１４０】
本実施例において、ｅＮＢによるＵＥ１からのＭｓｇ３メッセージの復号が成功し、且つＭｓｇ４をＵＥ１に送信するが、ＵＥ１によるＭｓｇ４メッセージの復号が成功しないが、ＵＥ１は、
再送信されたランダムアクセスシグナリングの再送信回数がＵＥ１のＣＥＬレベル情報によって確定されること；
ＵＥ１がランダムアクセスシグナリングを再送信する回数がＣＥＬ０のランダムアクセスシグナリングの再送信回数の上限より小さく、且つＵＥ１が前記ランダムアクセスの送信電力を向上できる場合、ＵＥ１が前記ランダムアクセスシグナリングの送信電力を向上させないこと；および
ＵＥ１がランダムアクセスシグナリングを再送信する回数がＣＥＬ０のランダムアクセスシグナリングの送信回数の上限以上である場合、ＵＥ１がＣＥＬ１に対応するランダムアクセスシグナリングの再送信回数を使用してランダムアクセスシグナリングを再送信し、且つＵＥ１が新しく送信されたＭｓｇ３で、ＣＥＬ１に従ってＭｓｇ４を送信するようにｅＮＢに指示するための情報；Ｍｓｇ４を送信するようにｅＮＢに指示する再送信回数のＣＥＬ０に対応する回数に対する増分情報；およびＭｓｇ４を送信するようにｅＮＢに指示する再送信回数；の少なくとも一つを送信すること；
の少なくとも一つに従ってランダムアクセスシグナリングを再送信する。
【０１４１】
本実施例において、ｅＮＢによるＵＥ２からのＭｓｇ３メッセージの復号が成功し、且つＭｓｇ４をＵＥ２に送信するが、ＵＥ２によるＭｓｇ４メッセージの復号が成功したが、前記Ｍｓｇ４メッセージがＵＥ２に送信されない場合、ＵＥ２は、
再送信されたランダムアクセスシグナリングの再送信回数がＵＥ２のＣＥＬレベル情報によって確定されること；
ＵＥ２がランダムアクセスシグナリングを再送信する回数がＣＥＬ１のランダムアクセスシグナリングの再送信回数の上限より小さく、且つＵＥ２が前記ランダムアクセスの送信電力を向上できる場合、ＵＥ１が前記ランダムアクセスシグナリングの送信電力を向上させないこと；および
ＵＥ２がランダムアクセスシグナリングを再送信する回数がＣＥＬ１のランダムアクセスシグナリングの送信回数の上限以上である場合、ＵＥ２がＣＥＬ２に対応するランダムアクセスシグナリングの再送信回数を使用してランダムアクセスシグナリングを再送信すること；
の少なくとも一つに従ってランダムアクセスシグナリングを再送信する。
【０１４２】
以上の実施形態の説明により、当業者は上記実施例による方法がソフトウェア＋必要な汎用ハードウェアプラットフォームにより実現されてもよいことを明確に理解しでき、当然、ハードウェアにより実現されてもよいが、多くの場合で前者はより良い実施形態である。このような理解に基づき、本発明の技術的解決策は本質的にソフトウェア製品の形態で実現されてもよく、又は従来技術に貢献する部分がソフトウェア製品の形態で実現されてもよく、該コンピュータソフトウェア製品は一つのコンピュータ装置（携帯電話、コンピュータ、サーバ、又はネットワーク装置などあってもよい）に本発明の各実施例に記載の方法を実行させるためのいくつかのコマンドを含む記憶媒体に記憶される。
【０１４３】
本実施例において、上記記憶媒体はＵディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、モバイルハードディスク、磁気ディスク又は光ディスク等のプログラムコードを記憶できる各種の媒体を含むがこれらに限定されない。
【０１４４】
明らかに、当業者であれば、上記の本発明の各モジュール又は各ステップが汎用コンピューティングデバイスで実現されてもよく、それらが単一のコンピューティングデバイスに集中されてもよく、又は複数のコンピューティングデバイスからなるネットワークに分布してもよく、また、それらがコンピューティングデバイスによって実行可能なプログラムコードで実現されてもよいことを理解すべきであり、これにより、それらを記憶装置に記憶してコンピューティングデバイスによって実行してもよく、且ついくつかの場合で、本説明書とは異なる順序で示された又は説明されたステップを実行し、それらをそれぞれ各集積回路モジュールに作成し、又はそれらのうちの複数のモジュール又はステップを単一の集積回路モジュールに作成して実現することができる。これにより、本発明はいかなる特定のハードウェアとソフトウェアの組み合わせに制限されない。
【０１４５】
以上は、本発明の最適的な実施例に過ぎなく、本発明を制限せず、本分野の当業者に対して、本発明が各種類の変更と変化がある。本発明の主旨精神と原則以内に、いかなる改修、同等入れ替わり、改良等が、本発明の保護範囲以内に含まれるべきである。
【産業上の利用可能性】
【０１４６】
本発明の実施例による上記技術的解決策では、第一の条件を満たしている場合、第二のタイプのノードは、ランダムアクセスシグナリングＭｓｇ１を再送信し、ここで、該第一の条件は、該第二のタイプのノードによるランダムアクセス応答メッセージＭｓｇ２の復号が成功しないこと；該第二のタイプのノードによるランダムアクセス応答メッセージＭｓｇ２の復号が成功し、復号された前記ランダムアクセス応答メッセージＭｓｇ２に該第二のタイプのノードへ送信されたランダムアクセス応答情報がないこと；該第一のタイプのノードによるＭｓｇ３メッセージの復号が成功しないこと；該第一のタイプのノードによるＭｓｇ３メッセージの復号が成功し、且つＭｓｇ４を該第二のタイプのノードに送信し、該第二のタイプのノードによるＭｓｇ４メッセージの復号が成功しないこと；および該第一のタイプのノードによるＭｓｇ３メッセージの復号が成功し、且つＭｓｇ４を第二のタイプのノードに送信し、第二のタイプのノードによるＭｓｇ４メッセージの復号が成功し、該Ｍｓｇ４メッセージが該第二のタイプのノードに送信されないこと；のうちの少なくとも一つを含み、これにより、ユーザ端末がＬＴＥ／ＬＴＥ−Ａシステムにアクセスするアクセス品質が高くないという問題を解決し、ユーザ端末がＬＴＥ／ＬＴＥ−Ａシステムにアクセスするアクセス品質を向上させる。
【図１】
2018511276.tif 000003
【図２】
2018511276.tif 000004
【手続補正書】
【提出日】平成29年12月4日(2017.12.4)
【手続補正１】
【補正対象書類名】明細書
【補正対象項目名】０１３０
【補正方法】変更
【補正の内容】
【０１３０】
本実施例において、ＵＥ３によるＭｓｇ２の復号が成功したが、その中にＵＥ３に送信されるランダムアクセス応答情報がない場合、ＵＥ３は、
再送信されたランダムアクセスシグナリングの再送信回数がＵＥ３のＣＥＬレベル情報によって確定されること；
ＵＥ３のＣＥＬが変化しない場合、再送信されたランダムアクセスシグナリングの再送信回数が前回の送信する場合の再送信回数と同じであること；
ＵＥ３のＣＥＬがＣＥＬ０である場合、ＵＥ３がランダムアクセスシグナリングを再送信する回数がＣＥＬ０に対応するランダムアクセスシグナリング送信回数の上限より小さく、且つＵＥ１が前記ランダムアクセスシグナリングの送信電力を向上できる場合、ＵＥ３がＣＥＬ０に対応するランダムアクセスシグナリングの再送信回数を使用し続けてランダムアクセスシグナリングを再送信し、且つランダムアクセスシグナリングの送信電力を向上させ、ランダムアクセスシグナリングを再送信する前記送信時間指示情報がＭ１とすること；
ＵＥ３のＣＥＬがＣＥＬ０である場合、ＵＥ３がランダムアクセスシグナリングを再送信する回数がＣＥＬ０に対応するランダムアクセスシグナリング送信回数の上限より小さく、且つＵＥ３が前記ランダムアクセスシグナリングの送信電力を向上できない場合、ＵＥ３がＣＥＬ０に対応するランダムアクセスシグナリングの再送信回数を使用し続けてランダムアクセスシグナリングを再送信し、ランダムアクセスシグナリングを再送信する前記送信時間指示情報がＭ２とすること；および
ＵＥ３のＣＥＬがＣＥＬ０である場合、ＵＥ３がランダムアクセスシグナリングを再送信する回数がＣＥＬ０に対応するランダムアクセスシグナリング送信回数の上限以上である場合、ＵＥ３はＣＥＬ１に対応するランダムアクセスシグナリングの再送信回数を使用してランダムアクセスシグナリングを再送信し、ランダムアクセスシグナリングを再送信する前記送信時間指示情報がＭ０とすること；
の少なくとも一つに従ってランダムアクセスシグナリングを再送信する。
【手続補正２】
【補正対象書類名】特許請求の範囲
【補正対象項目名】全文
【補正方法】変更
【補正の内容】
【特許請求の範囲】
【請求項１】
ランダムアクセスシグナリング再送信方法であって、
第一の条件を満たしている場合で、第二のタイプのノードがランダムアクセスシグナリングＭｓｇｌを再送信することを含み、前記第一の条件は、
前記第二のタイプのノードによるランダムアクセス応答メッセージＭｓｇ２の復号が成功しないこと、
前記第二のタイプのノードによるランダムアクセス応答メッセージＭｓｇ２の復号が成功し、復号された前記ランダムアクセス応答メッセージＭｓｇ２に前記第二のタイプのノードへ送信されたランダムアクセス応答情報がないこと、
第一のタイプのノードによるＭｓｇ３メッセージの復号が成功しないこと、
前記第一のタイプのノードによるＭｓｇ３メッセージの復号が成功し、且つＭｓｇ４メッセージを前記第二のタイプのノードに送信し、前記第二のタイプのノードによるＭｓｇ４メッセージの復号が成功しないこと、および
前記第一のタイプのノードによるＭｓｇ３メッセージの復号が成功し、且つＭｓｇ４メッセージを第二のタイプのノードに送信し、第二のタイプのノードによるＭｓｇ４メッセージの復号が成功し、前記Ｍｓｇ４メッセージが前記第二のタイプのノードに送信されないことのうちの少なくとも一つを含む、ランダムアクセスシグナリング再送信方法。
【請求項２】
前記第一の条件が、前記第二のタイプのノードによるランダムアクセス応答メッセージＭｓｇ２の復号が成功せず、且つ前記ランダムアクセス応答メッセージＭｓｇ２が第一のタイプのランダムアクセス応答メッセージＭｓｇ２に属することである場合、前記第二のタイプのノードは、
再送信されたランダムアクセスシグナリングＭｓｇ１の再送信回数が前記第二のタイプのノードのレベル情報によって確定されること、
前記第二のタイプのノードのレベル情報が変化しない場合、再送信されるランダムアクセスシグナリングＭｓｇ１の再送信回数が前回の送信した場合の再送信回数と同じであること、
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さい場合、前記第二のタイプのノードがランダムアクセスシグナリングＭｓｇ１を送信する方式が、前記第二のタイプのノードがレベルｉに対応するランダムアクセスシグナリングＭｓｇ１の再送信回数を使用し続けてランダムアクセスシグナリングＭｓｇ１を再送信すること、前記第二のタイプのノードが前記ランダムアクセスシグナリングＭｓｇ１を再送信するための送信電力を向上すること、および前記第二のタイプのノードがランダムアクセスシグナリングＭｓｇ１を再送信する送信時間指示情報がＫ１とすることのうちの少なくとも一つを含むこと、
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ前記第二のタイプのノードが前記ランダムアクセスシグナリングＭｓｇ１の送信電力を向上できない場合、前記第二のタイプのノードがランダムアクセスシグナリングＭｓｇ１を再送信する方式が、前記第二のタイプのノードがレベルｉに対応するランダムアクセスシグナリングＭｓｇ１の再送信回数を使用し続けてランダムアクセスシグナリングＭｓｇ１を再送信すること、および前記第二のタイプのノードがランダムアクセスシグナリングＭｓｇ１を再送信する送信時間指示情報がＫ２とすることのうちの少なくとも一つを含むこと、
前記第二のタイプのノードの現在のレベルがｉであり、且つ前記第二のタイプのノードが前記ランダムアクセスシグナリングＭｓｇ１の送信電力を向上できない場合、Ｎｉ＝１とすること、および
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、前記第二のタイプのノードがランダムアクセスシグナリングＭｓｇ１を再送信する方式が、前記第二のタイプのノードがレベルｉの次のレベルに対応するランダムアクセスシグナリングＭｓｇ１の再送信回数を使用してランダムアクセスシグナリングＭｓｇ１を再送信すること、および前記第二のタイプのノードがランダムアクセスシグナリングＭｓｇ１を再送信する送信時間指示情報がＫ０とすることのうちの少なくとも一つを含むこと、
の少なくとも一つに従ってランダムアクセスシグナリングＭｓｇ１を再送信し、
前記ランダムアクセスシグナリングＭｓｇ１を再送信する送信時間指示情報は、ランダムアクセスシグナリングＭｓｇ１の再送信と前回のランダムアクセス応答メッセージＭｓｇ２の検出ウィンドウ終了時点との間の時間間隔を意味し、
前記第一のタイプのランダムアクセス応答メッセージＭｓｇ２は、前記ランダムアクセス応答メッセージＭｓｇ２に同じレベルの前記第二のタイプのノードのランダムアクセス応答情報が含まれることを意味することを特徴とする
請求項１に記載の方法。
【請求項３】
前記レベルｉに対応するランダムアクセスシグナリングＭｓｇ１の送信回数の上限Ｎｉが前記第一のタイプのノードによって設定されること、および異なるレベルに対応するＮｉ値が異なることを含むことを特徴とする
請求項２に記載の方法。
【請求項４】
前記第一の条件が、第二のタイプのノードによる前記第二のタイプのノードレベルのランダムアクセス応答メッセージＭｓｇ２の復号が成功せず、第二のタイプのノードによる前記第二のタイプのノードのレベルより高いランダムアクセス応答メッセージＭｓｇ２の復号が成功せず、且つ前記ランダムアクセス応答メッセージＭｓｇ２が第二のタイプのランダムアクセス応答メッセージＭｓｇ２に属することである場合、第二のタイプのノードは、
再送信されたランダムアクセスシグナリングの再送信回数が前記第二のタイプのノードにより選択された新しいレベル情報によって確定されること、
前記新しいレベルが第二のタイプのノードにより復号されたランダムアクセス応答メッセージＭｓｇ２の最高レベルの次のレベルであること、
前記第二のタイプにより復号されたランダムアクセス応答メッセージＭｓｇ２の最高レベルのインデックス情報が、前記第一のタイプのノードによって前記第二のタイプのノードに送信されること、
前記第二のタイプのランダムアクセス応答メッセージＭｓｇ２が、ランダムアクセス応答メッセージＭｓｇ２に一つ又は複数のレベルの前記第二のタイプのノードのランダムアクセス応答情報のみが含まれることを意味すること、
の少なくとも一つに従ってランダムアクセスシグナリングＭｓｇ1を再送信することを特徴とする
請求項１に記載の方法。
【請求項５】
前記第一の条件が、第一のタイプのノードによるＭｓｇ３メッセージの復号が成功し、且つＭｓｇ４メッセージを第二のタイプのノードに送信し、第二のタイプのノードによるＭｓｇ４メッセージの復号が成功しないことである場合、第二のタイプのノードは、
再送信されたランダムアクセスシグナリングＭｓｇ１の再送信回数が前記第二のタイプのノードに記述されたレベル情報によって確定されること、
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ前記第二のタイプのノードが前記ランダムアクセスシグナリングＭｓｇ１の送信電力を向上できる場合、前記ランダムアクセスシグナリングの送信電力を向上させないこと、および
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、前記第二のタイプのノードがレベルｉの次のレベルに対応するランダムアクセスシグナリングＭｓｇ１の再送信回数を使用してランダムアクセスシグナリングＭｓｇ１を再送信すること、
の少なくとも一つに従ってランダムアクセスシグナリングＭｓｇ１を再送信することを特徴とする
請求項１に記載の方法。
【請求項６】
前記第二のタイプのノードがＭｓｇ３で、
Ｍｓｇ４の再送信回数を増加するように第一のタイプのノードに指示するための指示情報、
第一のタイプのノードによるＭｓｇ４の再送信回数の増分情報、および
第一のタイプのノードによるＭｓｇ４の再送信回数、
の少なくとも一つの情報を送信することを特徴とする
請求項５に記載の方法。
【請求項７】
前記レベルｉに対応するランダムアクセスシグナリングＭｓｇ１の送信回数の上限Ｎｉが前記第一のタイプのノードによって設定されること、および異なるレベルに対応するＮｉ値が異なることを含むことを特徴とする
請求項５に記載の方法。
【請求項８】
前記第一の条件が、第一のタイプのノードによるＭｓｇ３メッセージの復号が成功し、且つＭｓｇ４メッセージを第二のタイプのノードに送信し、第二のタイプのノードによるＭｓｇ４メッセージの復号が成功し、前記第二のタイプのノードに送信しないことである場合、前記第二のタイプのノードは、ランダムアクセスシグナリングＭｓｇ１を再送信するために、
再送信されたランダムアクセスシグナリングＭｓｇ１の再送信回数が前記第二のタイプのノードに記述されるレベル情報によって確定されること、
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の再送信回数の上限Ｎｉより小さく、且つ前記第二のタイプのノードが前記ランダムアクセスシグナリングの送信電力を向上できる場合、前記ランダムアクセスシグナリングの送信電力を向上させないこと、および
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、前記第二のタイプのノードがレベルｉの次のレベルに対応するランダムアクセスシグナリングＭｓｇ１の再送信回数を使用してランダムアクセスシグナリングＭｓｇ１を再送信すること、
の少なくとも一つに従って実行する必要があることを特徴とする
請求項１に記載の方法。
【請求項９】
前記レベルｉに対応するランダムアクセスシグナリングＭｓｇ１の送信回数の上限Ｎｉが前記第一のタイプのノードによって設定されること、および異なるレベルに対応するＮｉ値が異なることを含むことを特徴とする
請求項８に記載の方法。
【請求項１０】
第二のタイプのノードのレベルは、
カバレッジ強化レベル、
ＰＲＡＣＨチャネルカバレッジ強化レベル、および
ＰＲＡＣＨチャネル再送信レベル、
のうちの少なくとも一つを含むことを特徴とする
請求項２〜９のいずれか１項に記載の方法。
【請求項１１】
前記第一のタイプのノードは、
マクロセル（Ｍａｃｒｏｃｅｌｌ）基地局、マイクロセル（Ｍｉｃｒｏｃｅｌｌ）基地局、ピコセル（Ｐｉｃｏｃｅｌｌ）基地局、フェムトセル（Ｆｅｍｔｏｃｅｌｌ）基地局、ホーム基地局、低電力ノード（ＬＰＮ）及びリレー（Ｒｅｌａｙ）の少なくとも一つであり、
前記第二のタイプのノードは、一つ又は複数のヒューマンツーヒューマン（Ｈ２Ｈ）通信端末、一つ又は複数のマシンツーマシン（Ｍ２Ｍ）通信端末、および一つ又は複数のデバイスツーデバイス（Ｄ２Ｄ）通信端末の少なくとも一つを含むことを特徴とする
請求項１〜１０のいずれか１項に記載の方法。
【請求項１２】
ランダムアクセスシグナリング再送信装置であって、
第一の条件を満たしているかどうかを検出するように構成され、前記第一の条件が、
第二のタイプのノードによるランダムアクセス応答メッセージＭｓｇ２の復号が成功しないこと、
前記第二のタイプのノードによるランダムアクセス応答メッセージＭｓｇ２の復号が成功し、復号された前記ランダムアクセス応答メッセージＭｓｇ２に前記第二のタイプのノードへ送信されたランダムアクセス応答情報がないこと、
第一のタイプのノードによるＭｓｇ３メッセージの復号が成功しないこと、
前記第一のタイプのノードによるＭｓｇ３メッセージの復号が成功し、且つＭｓｇ４を前記第二のタイプのノードに送信し、前記第二のタイプのノードによるＭｓｇ４メッセージの復号が成功しないこと、
前記第一のタイプのノードによるＭｓｇ３メッセージの復号が成功し、且つＭｓｇ４を第二のタイプのノードに送信し、第二のタイプのノードによるＭｓｇ４メッセージの復号が成功し、前記Ｍｓｇ４メッセージが前記第二のタイプのノードに送信されないことのうちの少なくとも一つを含む検出モジュールと、
前記第一の条件を満たしている場合で、第二のタイプのノードがランダムアクセスシグナリングＭｓｇ１を再送信するように構成される送信モジュールとを含む、ランダムアクセスシグナリング再送信装置。
【請求項１３】
前記第一の条件が、前記第二のタイプのノードによるランダムアクセス応答メッセージＭｓｇ２の復号が成功せず、且つ前記ランダムアクセス応答メッセージＭｓｇ２が第一のタイプのランダムアクセス応答メッセージＭｓｇ２に属することである場合、前記送信モジュールは、
再送信されたランダムアクセスシグナリングＭｓｇ１の再送信回数が前記第二のタイプのノードのレベル情報によって確定されること、
前記第二のタイプのノードのレベル情報が変化しない場合、再送信されたランダムアクセスシグナリングＭｓｇ１の再送信回数が前回の送信する場合の再送信回数と同じであること、
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さい場合、前記第二のタイプのノードがランダムアクセスシグナリングＭｓｇ１を再送信する方式が、前記第二のタイプのノードがレベルｉに対応するランダムアクセスシグナリングＭｓｇ1の再送信回数を使用し続けてランダムアクセスシグナリングＭｓｇ1を再送信すること、前記第二のタイプのノードが前記ランダムアクセスシグナリングＭｓｇ１を再送信するための送信電力を向上すること、および前記第二のタイプのノードがランダムアクセスシグナリングＭｓｇ１を再送信する送信時間指示情報がＫ１とすることのうちの少なくとも一つを含むこと、
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ前記第二のタイプのノードが前記ランダムアクセスシグナリングＭｓｇ１の送信電力を向上できない場合、前記第二のタイプのノードがランダムアクセスシグナリングＭｓｇ１を再送信する方式が、前記第二のタイプのノードがレベルｉに対応するランダムアクセスシグナリングＭｓｇ１の再送信回数を使用し続けてランダムアクセスシグナリングＭｓｇ１を再送信すること、および前記第二のタイプのノードがランダムアクセスシグナリングＭｓｇ１を再送信する送信時間指示情報がＫ２とすることのうちの少なくとも一つを含むこと、
前記第二のタイプのノードの現在のレベルがレベルｉであり、且つ前記第二のタイプのノードが前記ランダムアクセスシグナリングＭｓｇ１の送信電力を向上できない場合、前記Ｎｉ＝１とすること、および
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、前記第二のタイプのノードがランダムアクセスシグナリングＭｓｇ１を再送信する方式が、前記第二のタイプのノードがレベルｉの次のレベルに対応するランダムアクセスシグナリングＭｓｇ１の再送信回数を使用してランダムアクセスシグナリングを再送信すること、および前記第二のタイプのノードがランダムアクセスシグナリングＭｓｇ１を再送信する送信時間指示情報がＫ０とすることのうちの少なくとも一つを含むこと、
の少なくとも一つに従ってランダムアクセスシグナリングＭｓｇ１を再送信し、
前記再送信されたランダムアクセスシグナリングＭｓｇ１を再送信する送信時間指示情報は、ランダムアクセスシグナリングＭｓｇ１の再送信と前回のランダムアクセス応答メッセージＭｓｇ２の検出ウィンドウ終了時点との間の時間間隔を意味し、
前記第一のタイプのランダムアクセス応答メッセージＭｓｇ２は、前記ランダムアクセス応答メッセージＭｓｇ２に同じレベルの前記第二のタイプのノードのランダムアクセス応答情報が含まれることを意味し、
前記レベルｉに対応するランダムアクセスシグナリングＭｓｇ１の送信回数の上限Ｎｉが前記第一のタイプのノードによって設定されること、および異なるレベルに対応するＮｉ値が異なることを含み、
または、
前記第一の条件が、第二のタイプのノードによる前記第二のタイプのノードレベルのランダムアクセス応答メッセージＭｓｇ２の復号が成功せず、第二のタイプのノードによる前記第二のタイプのノードのレベルより高いランダムアクセス応答メッセージＭｓｇ２の復号が成功せず、且つ前記ランダムアクセス応答メッセージＭｓｇ２が第二のタイプのランダムアクセス応答メッセージＭｓｇ２に属することである場合、前記送信モジュールは、
再送信されたランダムアクセスシグナリングの再送信回数が前記第二のタイプのノードにより選択された新しいレベル情報によって確定されること、
前記新しいレベルが第二のタイプのノードにより復号されたランダムアクセス応答メッセージＭｓｇ２の最高レベルの次のレベルであること、
前記第二のタイプにより復号されたランダムアクセス応答メッセージＭｓｇ２の最高レベルのインデックス情報が前記第一のタイプのノードによって前記第二のタイプのノードに送信されること、
前記第二のタイプのランダムアクセス応答メッセージＭｓｇ２が、ランダムアクセス応答メッセージＭｓｇ２に一つ又は複数のレベルの前記第二のタイプのノードのランダムアクセス応答情報のみが含まれることを意味すること、
の少なくとも一つに従ってランダムアクセスシグナリングＭｓｇ１を再送信することを含むことを特徴とする
請求項１２に記載の装置。
【請求項１４】
前記第一の条件が、第一のタイプのノードによるＭｓｇ３メッセージの復号が成功し、且つＭｓｇ４を第二のタイプのノードに送信し、第二のタイプのノードによるＭｓｇ４の復号が成功しないことである場合、前記送信モジュールは、
再送信されたランダムアクセスシグナリングＭｓｇ１の再送信回数が前記第二のタイプのノードに記述されるレベル情報によって確定されること、
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ前記第二のタイプのノードが前記ランダムアクセスシグナリングＭｓｇ１の送信電力を向上できる場合、前記ランダムアクセスシグナリングの送信電力を向上させないこと、および
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、前記第二のタイプのノードがレベルｉの次のレベルに対応するランダムアクセスシグナリングＭｓｇ１の再送信回数を使用してランダムアクセスシグナリングＭｓｇ１を再送信すること、
の少なくとも一つに従ってランダムアクセスシグナリングＭｓｇ１を再送信し、
前記第二のタイプのノードが、Ｍｓｇ３で、
Ｍｓｇ４の再送信回数を増加するように第一のタイプのノードに指示するための指示情報、
第一のタイプのノードによるＭｓｇ４の再送信回数の増分情報、および
第一のタイプのノードによるＭｓｇ４の再送信回数、
の少なくとも一つの情報を送信し、
前記レベルｉに対応するランダムアクセスシグナリングＭｓｇ１の送信回数の上限Ｎｉが前記第一のタイプのノードによって設定されること、および異なるレベルに対応するＮｉ値が異なることを含むことを特徴とする
請求項１２に記載の装置。
【請求項１５】
前記第一の条件が、第一のタイプのノードによるＭｓｇ３メッセージの復号が成功し、且つＭｓｇ４メッセージを第二のタイプのノードに送信し、第二のタイプのノードによるＭｓｇ４メッセージの復号が成功し、前記第二のタイプのノードに送信しないことである場合、前記送信モジュールは、ランダムアクセスシグナリングＭｓｇ１を再送信するために、
再送信されたランダムアクセスシグナリングＭｓｇ１の再送信回数が前記第二のタイプのノードに記述されるレベル情報によって確定されること、
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉより小さく、且つ前記第二のタイプのノードが前記ランダムアクセスシグナリングの送信電力を向上できる場合、前記ランダムアクセスシグナリングの送信電力を向上させないこと、および
前記第二のタイプのノードの現在のレベルがレベルｉであり、前記第二のタイプのノードがレベルｉにおいて再送信したランダムアクセスシグナリングＭｓｇ１の回数が、レベルｉに対応するランダムアクセスシグナリングＭｓｇ１の送信回数の上限Ｎｉ以上である場合、前記第二のタイプのノードがレベルｉの次のレベルに対応するランダムアクセスシグナリングＭｓｇ１の再送信回数を使用してランダムアクセスシグナリングＭｓｇ１を再送信すること、
の少なくとも一つに従って実行する必要があり、
前記レベルｉに対応するランダムアクセスシグナリングＭｓｇ１の送信回数の上限Ｎｉが前記第一のタイプのノードによって設定されること、および異なるレベルに対応するＮｉ値が異なることを含むことを特徴とする
請求項１２に記載の装置。
【国際調査報告】
2018511276.tif 000005
2018511276.tif 000006
2018511276.tif 000007
2018511276.tif 000008